(57)【要約】【課題】調湿運転を行うことによるメリットを使用者に認識させ得るデシカント空調装置を提供する。【解決手段】給気風路Ｖｓにおける調湿体１０よりも通風方向下手側箇所にて通流する空気の絶対湿度を検出する下手側絶対湿度検出手段Ｍ１が設けられ、運転制御手段１３が、調湿運転の実行中において計測タイミングになると、駆動手段１１を停止させる又は加熱手段１２の加熱作用を停止させる換気運転に切り換えるように構成され、調湿運転中において下手側絶対湿度検出手段Ｍ１にて検出された絶対湿度と換気運転中において下手側絶対湿度検出手段Ｍ１にて検出された絶対湿度との差である絶対湿度差を求めて、その求めた絶対湿度差に対応する情報を表示手段５３に表示する湿度差導出手段Ｃが設けられている。【選択図】図１
2008151388.tif 000002
【特許請求の範囲】
【請求項１】
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記排気風路における前記調湿体よりも通風方向上手側箇所にて内気に対して加熱作用する加熱手段を備えた調湿手段と、
運転を制御する運転制御手段とが設けられ、
その運転制御手段が、前記駆動手段を作動させ且つ前記加熱手段を加熱作用させて、前記給気風路を通流する外気から吸湿した水分を前記排気風路を通流する内気に放湿する形態で外気に対して調湿作用する調湿運転を実行するように構成されたデシカント空調装置であって、
前記給気風路における前記調湿体よりも通風方向下手側箇所、又は、前記排気風路における前記調湿体よりも通風方向下手側箇所にて通流する空気の絶対湿度を検出する下手側絶対湿度検出手段が設けられ、
前記運転制御手段が、前記調湿運転の実行中において計測タイミングになると、前記駆動手段を停止させる又は前記加熱手段の加熱作用を停止させる換気運転に切り換えるように構成され、
前記調湿運転中において前記下手側絶対湿度検出手段にて検出された絶対湿度と前記換気運転中において前記下手側絶対湿度検出手段にて検出された絶対湿度との差である絶対湿度差を求めて、その求めた絶対湿度差に対応する情報を表示手段に表示する湿度差導出手段が設けられているデシカント空調装置。
【請求項２】
前記排気風路における前記調湿体よりも通風方向上手側箇所、又は、前記給気風路における前記調湿体よりも通風方向上手側箇所にて通流する空気の絶対湿度を検出する上手側絶対湿度検出手段が設けられ、
前記湿度差導出手段が、前記調湿運転中において前記上手側絶対湿度検出手段にて検出された絶対湿度と前記換気運転中において前記上手側絶対湿度検出手段にて検出された絶対湿度との差が設定値以下であることを条件にして、前記絶対湿度差を求めるように構成されている請求項１記載のデシカント空調装置。
【請求項３】
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記排気風路における前記調湿体よりも通風方向上手側箇所にて内気に対して加熱作用する加熱手段を備えた調湿手段と、
運転を制御する運転制御手段とが設けられ、
その運転制御手段が、前記駆動手段を作動させ且つ前記加熱手段を加熱作用させて、前記給気風路を通流する外気から吸湿した水分を前記排気風路を通流する内気に放湿する形態で外気に対して調湿作用する調湿運転を実行するように構成されたデシカント空調装置であって、
下手側絶対湿度検出手段が前記給気風路における前記調湿体よりも通風方向下手側箇所にて通流する空気の絶対湿度を検出するように設けられ、且つ、上手側絶対湿度検出手段が前記排気風路における前記調湿体よりも通風方向上手側箇所にて通流する空気の絶対湿度を検出するように設けられ、又は、前記下手側絶対湿度検出手段が前記排気風路における前記調湿体よりも通風方向下手側箇所にて通流する空気の絶対湿度を検出するように設けられ、且つ、前記上手側絶対湿度検出手段が前記給気風路における前記調湿体よりも通風方向上手側箇所にて通流する空気の絶対湿度を検出するように設けられ、
前記下手側絶対湿度検出手段にて検出された絶対湿度と前記上手側絶対湿度検出手段にて検出された絶対湿度との差である絶対湿度差を求めて、その求めた絶対湿度差に対応する情報を表示手段に表示する湿度差導出手段が設けられているデシカント空調装置。
【請求項４】
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えた調湿手段と、
運転を制御する運転制御手段とが設けられ、
その運転制御手段が、前記駆動手段を作動させ且つ前記加熱手段を加熱作用させて、前記排気風路を通流する内気から吸湿した水分を前記給気風路を通流する外気に放湿する形態で内気に対して調湿作用する調湿運転を実行するように構成されたデシカント空調装置であって、
前記給気風路における前記調湿体よりも通風方向下手側箇所、又は、前記排気風路における前記調湿体よりも通風方向下手側箇所にて通流する空気の絶対湿度を検出する下手側絶対湿度検出手段が設けられ、
前記運転制御手段が、前記調湿運転の実行中において計測タイミングになると、前記駆動手段を停止させる又は前記加熱手段の加熱作用を停止させる換気運転に切り換えるように構成され、
前記調湿運転中において前記下手側絶対湿度検出手段にて検出された絶対湿度と前記換気運転中において前記下手側絶対湿度検出手段にて検出された絶対湿度との差である絶対湿度差を求めて、その求めた絶対湿度差に対応する情報を表示手段に表示する湿度差導出手段が設けられているデシカント空調装置。
【請求項５】
前記排気風路における前記調湿体よりも通風方向上手側箇所、又は、前記給気風路における前記調湿体よりも通風方向上手側箇所にて通流する空気の絶対湿度を検出する上手側絶対湿度検出手段が設けられ、
前記湿度差導出手段が、前記調湿運転中において前記上手側絶対湿度検出手段にて検出された絶対湿度と前記換気運転中において前記上手側絶対湿度検出手段にて検出された絶対湿度との差が設定値以下であることを条件にして、前記絶対湿度差を求めるように構成されている請求項４記載のデシカント空調装置。
【請求項６】
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えた調湿手段と、
運転を制御する運転制御手段とが設けられ、
その運転制御手段が、前記駆動手段を作動させ且つ前記加熱手段を加熱作用させて、前記排気風路を通流する内気から吸湿した水分を前記給気風路を通流する外気に放湿する形態で内気に対して調湿作用する調湿運転を実行するように構成されたデシカント空調装置であって、
下手側絶対湿度検出手段が前記給気風路における前記調湿体よりも通風方向下手側箇所にて通流する空気の絶対湿度を検出するように設けられ、且つ、上手側絶対湿度検出手段が前記排気風路における前記調湿体よりも通風方向上手側箇所にて通流する空気の絶対湿度を検出するように設けられ、又は、前記下手側絶対湿度検出手段が前記排気風路における前記調湿体よりも通風方向下手側箇所にて通流する空気の絶対湿度を検出するように設けられ、且つ、前記上手側絶対湿度検出手段が前記給気風路における前記調湿体よりも通風方向上手側箇所にて通流する空気の絶対湿度を検出するように設けられ、
前記下手側絶対湿度検出手段にて検出された絶対湿度と前記上手側絶対湿度検出手段にて検出された絶対湿度との差である絶対湿度差を求めて、その求めた絶対湿度差に対応する情報を表示手段に表示する湿度差導出手段が設けられているデシカント空調装置。
【発明の詳細な説明】
【技術分野】
【０００１】
本発明は、外気を除湿して供給用空気として空調対象空間に供給して空調対象空間を除湿する、又は、外気を加湿して供給用空気として空調対象空間に供給して空調対象空間を加湿するデシカント空調装置に関する。
【背景技術】
【０００２】
かかるデシカント空調装置としては、外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記排気風路における前記調湿体よりも通風方向上手側箇所にて内気に対して加熱作用する加熱手段を備えた調湿手段と、
運転を制御する運転制御手段とが設けられ、
その運転制御手段が、前記駆動手段を作動させ且つ前記加熱手段を加熱作用させて、前記給気風路を通流する外気から吸湿した水分を前記排気風路を通流する内気に放湿する形態で外気に対して調湿作用する調湿運転を実行するように構成されて、空調対象空間の除湿を行うデシカント空調装置、及び、
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えた調湿手段と、
運転を制御する運転制御手段とが設けられ、
その運転制御手段が、前記駆動手段を作動させ且つ前記加熱手段を加熱作用させて、前記排気風路を通流する内気から吸湿した水分を前記給気風路を通流する外気に放湿する形態で内気に対して調湿作用する調湿運転を実行するように構成されて、空調対象空間の加湿を行うデシカント空調装置がある（例えば、特許文献１参照。）。
【０００３】
【特許文献１】特開２００３−４２５５号公報
【発明の開示】
【発明が解決しようとする課題】
【０００４】
このようなデシカント空調装置では、除湿のための調湿運転が行われていても、又、加湿のための調湿運転が行われていても、空気中の水分含有量の多少は、空気の温度の高低に比べて人には分かり難いものであるから、使用者には、調湿運転を行うことによるメリットがどのように得られているのかが認識し難いものであった。
【０００５】
本発明は、かかる実情に鑑みてなされたものであり、その目的は、調湿運転を行うことによるメリットを使用者に認識させ得るデシカント空調装置を提供することにある。
【課題を解決するための手段】
【０００６】
本発明のデシカント空調装置の第１特徴構成は、
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記排気風路における前記調湿体よりも通風方向上手側箇所にて内気に対して加熱作用する加熱手段を備えた調湿手段と、
運転を制御する運転制御手段とが設けられ、
その運転制御手段が、前記駆動手段を作動させ且つ前記加熱手段を加熱作用させて、前記給気風路を通流する外気から吸湿した水分を前記排気風路を通流する内気に放湿する形態で外気に対して調湿作用する調湿運転を実行するように構成されたものであって、
前記給気風路における前記調湿体よりも通風方向下手側箇所、又は、前記排気風路における前記調湿体よりも通風方向下手側箇所にて通流する空気の絶対湿度を検出する下手側絶対湿度検出手段が設けられ、
前記運転制御手段が、前記調湿運転の実行中において計測タイミングになると、前記駆動手段を停止させる又は前記加熱手段の加熱作用を停止させる換気運転に切り換えるように構成され、
前記調湿運転中において前記下手側絶対湿度検出手段にて検出された絶対湿度と前記換気運転中において前記下手側絶対湿度検出手段にて検出された絶対湿度との差である絶対湿度差を求めて、その求めた絶対湿度差に対応する情報を表示手段に表示する湿度差導出手段が設けられている点を特徴とする。
【０００７】
即ち、運転制御手段は、駆動手段を作動させ且つ加熱手段を加熱作用させる調湿運転の実行中において、計測タイミングになると、駆動手段を停止させる又は加熱手段の加熱作用を停止させる換気運転に切り換える。
下手側絶対湿度検出手段は、調湿運転中及び換気運転中の夫々において、給気風路における調湿体よりも通風方向下手側箇所、又は、排気風路における調湿体よりも通風方向下手側箇所にて通流する空気の絶対湿度を検出する。
そして、湿度差導出手段は、調湿運転中において下手側絶対湿度検出手段にて検出された絶対湿度と換気運転中において下手側絶対湿度検出手段にて検出された絶対湿度との差である絶対湿度差を求めて、その求めた絶対湿度差に対応する情報を表示手段に表示する。
【０００８】
つまり、調湿運転中において給気風路における調湿体よりも通風方向下手側箇所を通流する空気である外気は、調湿体を通過することで吸湿されて（換言すれば、除湿されて）絶対湿度が低下し、換気運転中において給気風路における調湿体よりも通風方向下手側箇所を通流する外気は、調湿体を通過しても殆ど吸湿されることがないので絶対湿度が殆ど変化しない。
ちなみに、空調対象空間内の内気は、調湿体を通過して吸湿された外気と少しずつ交換されることから、調湿運転の時間が経過するほど、空調対象空間内の内気の絶対湿度が低下する。
従って、調湿運転中において給気風路における調湿体よりも通風方向下手側箇所を通流する外気の絶対湿度と換気運転中において給気風路における調湿体よりも通風方向下手側箇所を通流する外気の絶対湿度との差である絶対湿度差は、調湿運転の実行中においてデシカント空調装置にて発揮されている除湿能力、即ち調湿能力を示すものである。
【０００９】
又、調湿運転中において排気風路における調湿体よりも通風方向下手側箇所を通流する空気である内気は、調湿体を通過することで放湿されて絶対湿度が上昇し、換気運転中において排気風路における調湿体よりも通風方向下手側箇所を通流する内気は、調湿体を通過しても殆ど放湿されることがないので絶対湿度が殆ど変化しない。
そして、調湿運転中において調湿体にて内気に放湿される放湿量は、調湿体にて外気から吸湿される吸湿量に相当するものである。
従って、調湿運転中において排気風路における調湿体よりも通風方向下手側箇所を通流する内気の絶対湿度と換気運転中において排気風路における調湿体よりも通風方向下手側箇所を通流する内気の絶対湿度との差である絶対湿度差は、デシカント空調装置にて発揮されている調湿能力を示すものである。
そこで、上述のように、湿度差導出手段により絶対湿度差を導出させて、その絶対湿度差に対応する情報を表示手段に表示させるようにすることにより、調湿運転の実行中においてデシカント空調装置により発揮されている調湿能力の程度を、調湿運転を行うことによるメリットとして使用者に認識させることができる。
要するに、調湿運転を行うことによるメリットを使用者に認識させ得るデシカント空調装置を提供することができるようになった。
【００１０】
第２特徴構成は、上記第１特徴構成に加えて、
前記排気風路における前記調湿体よりも通風方向上手側箇所、又は、前記給気風路における前記調湿体よりも通風方向上手側箇所にて通流する空気の絶対湿度を検出する上手側絶対湿度検出手段が設けられ、
前記湿度差導出手段が、前記調湿運転中において前記上手側絶対湿度検出手段にて検出された絶対湿度と前記換気運転中において前記上手側絶対湿度検出手段にて検出された絶対湿度との差が設定値以下であることを条件にして、前記絶対湿度差を求めるように構成されている点を特徴とする。
【００１１】
即ち、上手側絶対湿度検出手段は、調湿運転中及び換気運転中の夫々において、排気風路における調湿体よりも通風方向上手側箇所、又は、給気風路における調湿体よりも通風方向上手側箇所にて通流する空気の絶対湿度を検出する。
そして、湿度差導出手段は、調湿運転中において上手側絶対湿度検出手段にて検出された絶対湿度と換気運転中において上手側絶対湿度検出手段にて検出された絶対湿度との差が設定値以下であることを条件にして、絶対湿度差を求める。
【００１２】
つまり、排気風路における調湿体よりも通風方向上手側箇所を通流する空気は、空調対象空間内の内気に相当するものであり、その空調対象空間内の内気の温度や絶対湿度は、デシカント空調装置とは別の空調装置による空調対象空間の冷房の有無等により変化するものである。
又、給気風路における調湿体よりも通風方向上手側箇所を通流する空気は、調湿体により吸湿される前の外気に相当するものであり、その調湿体により吸湿される前の外気の温度や絶対湿度は、降雨や降雪等の天候の変化により変化するものである。
そして、調湿運転中において上手側絶対湿度検出手段にて検出された絶対湿度と換気運転中において上手側絶対湿度検出手段にて検出された絶対湿度との差が大きい場合は、絶対湿度差を求めるために下手側絶対湿度検出手段にて空気の絶対湿度を検出した調湿運転中と換気運転中との間で、デシカント空調装置に供給される内気又は外気の温度や絶対湿度が大きく変化した虞があり、湿度差導出手段にて求められた絶対湿度差がデシカント空調装置にて発揮されている除湿能力、即ち調湿能力に対応し難い虞がある。
【００１３】
そこで、調湿運転中において上手側絶対湿度検出手段にて検出された絶対湿度と換気運転中において上手側絶対湿度検出手段にて検出された絶対湿度との差が設定値以下であることを条件にして、絶対湿度差を求めるようにすることにより、デシカント空調装置にて発揮されている調湿能力に適切に対応する状態で絶対湿度差を求めることが可能となるのである。
従って、調湿運転を行うことによりメリットをより的確に使用者に認識させることができるようになった。
【００１４】
第３特徴構成は、
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記排気風路における前記調湿体よりも通風方向上手側箇所にて内気に対して加熱作用する加熱手段を備えた調湿手段と、
運転を制御する運転制御手段とが設けられ、
その運転制御手段が、前記駆動手段を作動させ且つ前記加熱手段を加熱作用させて、前記給気風路を通流する外気から吸湿した水分を前記排気風路を通流する内気に放湿する形態で外気に対して調湿作用する調湿運転を実行するように構成されたものであって、
下手側絶対湿度検出手段が前記給気風路における前記調湿体よりも通風方向下手側箇所にて通流する空気の絶対湿度を検出するように設けられ、且つ、上手側絶対湿度検出手段が前記排気風路における前記調湿体よりも通風方向上手側箇所にて通流する空気の絶対湿度を検出するように設けられ、又は、前記下手側絶対湿度検出手段が前記排気風路における前記調湿体よりも通風方向下手側箇所にて通流する空気の絶対湿度を検出するように設けられ、且つ、前記上手側絶対湿度検出手段が前記給気風路における前記調湿体よりも通風方向上手側箇所にて通流する空気の絶対湿度を検出するように設けられ、
前記下手側絶対湿度検出手段にて検出された絶対湿度と前記上手側絶対湿度検出手段にて検出された絶対湿度との差である絶対湿度差を求めて、その求めた絶対湿度差に対応する情報を表示手段に表示する湿度差導出手段が設けられている点を特徴とする。
【００１５】
即ち、下手側絶対湿度検出手段は、給気風路における調湿体よりも通風方向下手側箇所にて通流する空気の絶対湿度を検出し、且つ、上手側絶対湿度検出手段は、排気風路における調湿体よりも通風方向上手側箇所にて通流する空気の絶対湿度を検出する、又は、下手側絶対湿度検出手段は、排気風路における調湿体よりも通風方向下手側箇所にて通流する空気の絶対湿度を検出し、且つ、上手側絶対湿度検出手段は、給気風路における調湿体よりも通風方向上手側箇所にて通流する空気の絶対湿度を検出する。
そして、湿度差導出手段は、下手側絶対湿度検出手段にて検出された絶対湿度と上手側絶対湿度検出手段にて検出された絶対湿度との差である絶対湿度差を求めて、その求めた絶対湿度差に対応する情報を表示手段に表示する。
【００１６】
つまり、給気風路における調湿体よりも通風方向下手側箇所を通流する空気である外気は、調湿体を通過することで吸湿されて（換言すれば、除湿されて）、そのように吸湿された外気が空調対象空間に供給される。
一方、排気風路における調湿体よりも通風方向上手側箇所を通流する空気は、空調対象空間内の内気に相当するものである。
そして、調湿運転の開始時点では、空調対象空間内の内気の絶対湿度は、調湿体を通過して吸湿された外気の絶対湿度よりも高い状態であり、その空調対象空間内の内気は、調湿体を通過して吸湿された外気と少しずつ交換されるので、調湿運転の時間が経過するに伴って、その空調対象空間内の内気の絶対湿度は低下することになる。
従って、給気風路における調湿体よりも通風方向下手側箇所を通流する空気の絶対湿度と排気風路における調湿体よりも通風方向上手側箇所を通流する空気の絶対湿度との差である絶対湿度差は、調湿運転の時間が経過するほど小さくなる傾向となり、その絶対湿度差は、調湿運転の実行を開始したのち、設定時間が経過したのちにおいては、デシカント空調装置にて発揮されている除湿の進み具合、即ち調湿の進み具合を、調湿運転の時間が経過するほど高くなる状態で示すものである。
【００１７】
又、排気風路における調湿体よりも通風方向下手側箇所を通流する空気である内気は、調湿体を通過することで放湿されたものであり、その放湿量は、調湿体において外気から吸湿する吸湿量に相当するものである。
一方、給気風路における調湿体よりも通風方向上手側箇所を通流する空気は、調湿体にて吸湿される前の外気に相当するものである。
そして、調湿運転の開始時点では、調湿体を通過して放湿された内気の絶対湿度は、調湿体を通過する前の外気の絶対湿度よりも高い状態であり、調湿運転の時間が経過するに伴って、空調対象空間内の内気は、調湿体を通過して吸湿された外気と少しずつ交換されて、その空調対象空間内の内気の絶対湿度が低下するので、調湿体を通過して放湿された内気の絶対湿度は低下することになる。
従って、排気風路における調湿体よりも通風方向下手側箇所を通流する空気の絶対湿度と給気風路における調湿体よりも通風方向上手側箇所を通流する空気の絶対湿度との差である絶対湿度差は、調湿運転の時間が経過するほど小さくなる傾向となり、その絶対湿度差は、調湿運転の実行を開始したのち、設定時間が経過したのちにおいては、デシカント空調装置にて発揮されている除湿の進み具合、即ち調湿の進み具合を、調湿運転の時間が経過するほど高くなる状態で示すものである。
そこで、上述のように、湿度差導出手段により絶対湿度差を導出させて、その絶対湿度差に対応する情報を表示手段に表示させるようにすることにより、調湿運転の実行により得られる調湿の進み具合を、調湿運転を行うことによるメリットとして使用者に認識させることができる。
要するに、調湿運転を行うことによるメリットを使用者に認識させ得るデシカント空調装置を提供することができるようになった。
【００１８】
第４特徴構成は、
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えた調湿手段と、
運転を制御する運転制御手段とが設けられ、
その運転制御手段が、前記駆動手段を作動させ且つ前記加熱手段を加熱作用させて、前記排気風路を通流する内気から吸湿した水分を前記給気風路を通流する外気に放湿する形態で内気に対して調湿作用する調湿運転を実行するように構成されたものであって、
前記給気風路における前記調湿体よりも通風方向下手側箇所、又は、前記排気風路における前記調湿体よりも通風方向下手側箇所にて通流する空気の絶対湿度を検出する下手側絶対湿度検出手段が設けられ、
前記運転制御手段が、前記調湿運転の実行中において計測タイミングになると、前記駆動手段を停止させる又は前記加熱手段の加熱作用を停止させる換気運転に切り換えるように構成され、
前記調湿運転中において前記下手側絶対湿度検出手段にて検出された絶対湿度と前記換気運転中において前記下手側絶対湿度検出手段にて検出された絶対湿度との差である絶対湿度差を求めて、その求めた絶対湿度差に対応する情報を表示手段に表示する湿度差導出手段が設けられている点を特徴とする。
【００１９】
即ち、運転制御手段は、駆動手段を作動させ且つ加熱手段を加熱作用させる調湿運転の実行中において、計測タイミングになると、駆動手段を停止させる又は加熱手段の加熱作用を停止させる換気運転に切り換える。
下手側絶対湿度検出手段は、調湿運転中及び換気運転中の夫々において、給気風路における調湿体よりも通風方向下手側箇所、又は、排気風路における調湿体よりも通風方向下手側箇所にて通流する空気の絶対湿度を検出する。
そして、湿度差導出手段は、調湿運転中において下手側絶対湿度検出手段にて検出された絶対湿度と換気運転中において下手側絶対湿度検出手段にて検出された絶対湿度との差である絶対湿度差を求めて、その求めた絶対湿度差に対応する情報を表示手段に表示する。
【００２０】
つまり、調湿運転中において給気風路における調湿体よりも通風方向下手側箇所を通流する空気である外気は、調湿体を通過することで放湿されて（換言すれば、加湿されて）絶対湿度が上昇し、換気運転中において給気風路における調湿体よりも通風方向下手側箇所を通流する外気は、調湿体を通過しても殆ど放湿されることがないので絶対湿度が殆ど変化しない。
ちなみに、空調対象空間内の内気は、調湿体を通過して放湿された外気と少しずつ交換されることから、調湿運転の時間が経過するほど、空調対象空間内の内気の絶対湿度が上昇する。
従って、調湿運転中において給気風路における調湿体よりも通風方向下手側箇所を通流する外気の絶対湿度と換気運転中において給気風路における調湿体よりも通風方向下手側箇所を通流する外気の絶対湿度との差である絶対湿度差は、調湿運転の実行中においてデシカント空調装置にて発揮されている加湿能力、即ち調湿能力を示すものである。
【００２１】
又、調湿運転中において排気風路における調湿体よりも通風方向下手側箇所を通流する空気である内気は、調湿体を通過することで吸湿されて絶対湿度が低下し、換気運転中において排気風路における調湿体よりも通風方向下手側箇所を通流する内気は、調湿体を通過しても殆ど放湿されることがないので絶対湿度が殆ど変化しない。
そして、調湿運転中において調湿体にて内気から吸湿される吸湿量は、調湿体にて外気に放湿される放湿量に相当するものである。
従って、調湿運転中において排気風路における調湿体よりも通風方向下手側箇所を通流する内気の絶対湿度と換気運転中において排気風路における調湿体よりも通風方向下手側箇所を通流する内気の絶対湿度との差である絶対湿度差は、デシカント空調装置にて発揮されている調湿能力を示すものである。
そこで、上述のように、湿度差導出手段により絶対湿度差を導出させて、その絶対湿度差に対応する情報を表示手段に表示させるようにすることにより、調湿運転の実行中においてデシカント空調装置により発揮されている調湿能力の程度を、調湿運転を行うことによるメリットとして使用者に認識させることができる。
要するに、調湿運転を行うことによるメリットを使用者に認識させ得るデシカント空調装置を提供することができるようになった。
【００２２】
第５特徴構成は、上記第４特徴構成に加えて、
前記排気風路における前記調湿体よりも通風方向上手側箇所、又は、前記給気風路における前記調湿体よりも通風方向上手側箇所にて通流する空気の絶対湿度を検出する上手側絶対湿度検出手段が設けられ、
前記湿度差導出手段が、前記調湿運転中において前記上手側絶対湿度検出手段にて検出された絶対湿度と前記換気運転中において前記上手側絶対湿度検出手段にて検出された絶対湿度との差が設定値以下であることを条件にして、前記絶対湿度差を求めるように構成されている点を特徴とする。
【００２３】
即ち、上手側絶対湿度検出手段は、調湿運転中及び換気運転中の夫々において、排気風路における調湿体よりも通風方向上手側箇所、又は、給気風路における調湿体よりも通風方向上手側箇所にて通流する空気の絶対湿度を検出する。
そして、湿度差導出手段が、調湿運転中において上手側絶対湿度検出手段にて検出された絶対湿度と換気運転中において上手側絶対湿度検出手段にて検出された絶対湿度との差が設定値以下であることを条件にして、絶対湿度差を求める。
【００２４】
つまり、排気風路における調湿体よりも通風方向上手側箇所を通流する空気は、空調対象空間内の内気に相当するものであり、その空調対象空間内の内気の温度や絶対湿度は、デシカント空調装置とは別の空調装置による空調対象空間の暖房の有無等により変化するものである。
又、給気風路における調湿体よりも通風方向上手側箇所を通流する空気は、調湿体により放湿される前の外気に相当するものであり、その調湿体により放湿される前の外気の温度や絶対湿度は、降雨や降雪等の天候の変化により変化するものである。
そして、調湿運転中において上手側絶対湿度検出手段にて検出された絶対湿度と換気運転中において上手側絶対湿度検出手段にて検出された絶対湿度との差が大きい場合は、絶対湿度差を求めるために下手側絶対湿度検出手段にて空気の絶対湿度を検出した調湿運転中と換気運転中との間で、デシカント空調装置に供給される内気又は外気の温度や絶対湿度が大きく変化した虞があり、湿度差導出手段にて求められた絶対湿度差がデシカント空調装置にて発揮されている加湿能力、即ち調湿能力に対応し難い虞がある。
【００２５】
そこで、調湿運転中において上手側絶対湿度検出手段にて検出された絶対湿度と換気運転中において上手側絶対湿度検出手段にて検出された絶対湿度との差が設定値以下であることを条件にして、絶対湿度差を求めるようにすることにより、デシカント空調装置にて発揮されている調湿能力に適切に対応する状態で絶対湿度差を求めることが可能となるのである。
従って、調湿運転を行うことによりメリットをより的確に使用者に認識させることができるようになった。
【００２６】
第６特徴構成は、
外気を供給用空気として空調対象空間に供給する給気風路に通風作用する給気送風手段と、
空調対象空間の空気である内気を排出用空気として外部に排出する排気風路に通風作用する排気送風手段と、
一部を前記給気風路に位置させ且つ他の一部を前記排気風路に位置させるように配置されて駆動手段により駆動回転される調湿体、及び、前記給気風路における前記調湿体よりも通風方向上手側箇所にて外気に対して加熱作用する加熱手段を備えた調湿手段と、
運転を制御する運転制御手段とが設けられ、
その運転制御手段が、前記駆動手段を作動させ且つ前記加熱手段を加熱作用させて、前記排気風路を通流する内気から吸湿した水分を前記給気風路を通流する外気に放湿する形態で内気に対して調湿作用する調湿運転を実行するように構成されたものであって、
下手側絶対湿度検出手段が前記給気風路における前記調湿体よりも通風方向下手側箇所にて通流する空気の絶対湿度を検出するように設けられ、且つ、上手側絶対湿度検出手段が前記排気風路における前記調湿体よりも通風方向上手側箇所にて通流する空気の絶対湿度を検出するように設けられ、又は、前記下手側絶対湿度検出手段が前記排気風路における前記調湿体よりも通風方向下手側箇所にて通流する空気の絶対湿度を検出するように設けられ、且つ、前記上手側絶対湿度検出手段が前記給気風路における前記調湿体よりも通風方向上手側箇所にて通流する空気の絶対湿度を検出するように設けられ、
前記下手側絶対湿度検出手段にて検出された絶対湿度と前記上手側絶対湿度検出手段にて検出された絶対湿度との差である絶対湿度差を求めて、その求めた絶対湿度差に対応する情報を表示手段に表示する湿度差導出手段が設けられている点を特徴とする。
【００２７】
即ち、下手側絶対湿度検出手段は、給気風路における調湿体よりも通風方向下手側箇所にて通流する空気の絶対湿度を検出し、且つ、上手側絶対湿度検出手段は、排気風路における調湿体よりも通風方向上手側箇所にて通流する空気の絶対湿度を検出する、又は、下手側絶対湿度検出手段は、排気風路における調湿体よりも通風方向下手側箇所にて通流する空気の絶対湿度を検出し、且つ、上手側絶対湿度検出手段は、給気風路における調湿体よりも通風方向上手側箇所にて通流する空気の絶対湿度を検出する。
そして、湿度差導出手段は、下手側絶対湿度検出手段にて検出された絶対湿度と上手側絶対湿度検出手段にて検出された絶対湿度との差である絶対湿度差を求めて、その求めた絶対湿度差に対応する情報を表示手段に表示する。
【００２８】
つまり、給気風路における調湿体よりも通風方向下手側箇所を通流する空気である外気は、調湿体を通過することで放湿されて（換言すれば、加湿されて）、そのように放湿された外気が空調対象空間に供給される。
一方、排気風路における調湿体よりも通風方向上手側箇所を通流する空気は、空調対象空間内の内気に相当するものである。
そして、調湿運転の開始時点では、空調対象空間内の内気の絶対湿度は、調湿体を通過して放湿された外気の絶対湿度よりも低い状態であり、その空調対象空間内の内気は、調湿体を通過して放湿された外気と少しずつ交換されるので、調湿運転の時間が経過するに伴って、その空調対象空間内の内気の絶対湿度は上昇することになる。
従って、給気風路における調湿体よりも通風方向下手側箇所を通流する空気の絶対湿度と排気風路における調湿体よりも通風方向上手側箇所を通流する空気の絶対湿度との差である絶対湿度差は、調湿運転の時間が経過するほど小さくなる傾向となり、その絶対湿度差は、調湿運転の実行を開始したのち、設定時間が経過したのちにおいては、デシカント空調装置にて発揮されている加湿の進み具合、即ち調湿の進み具合を、調湿運転の時間が経過するほど高くなる状態で示すものである。
【００２９】
又、排気風路における調湿体よりも通風方向下手側箇所を通流する空気である内気は、調湿体を通過することで吸湿されたものであり、その吸湿量は、調湿体において外気に放湿する放湿量に相当するものである。
一方、給気風路における調湿体よりも通風方向上手側箇所を通流する空気は、調湿体にて放湿される前の外気に相当するものである。
そして、調湿運転の開始時点では、調湿体を通過して吸湿された内気の絶対湿度は、調湿体を通過する前の外気の絶対湿度よりも低い状態であり、調湿運転の時間が経過するに伴って、空調対象空間内の内気は、調湿体を通過して放湿された外気と少しずつ交換されて、その空調対象空間内の内気の絶対湿度が上昇するので、調湿体を通過して吸湿された内気の絶対湿度は上昇することになる。
従って、排気風路における調湿体よりも通風方向下手側箇所を通流する空気の絶対湿度と給気風路における調湿体よりも通風方向上手側箇所を通流する空気の絶対湿度との差である絶対湿度差は、調湿運転の時間が経過するほど小さくなる傾向となり、その絶対湿度差は、調湿運転の実行を開始したのち、設定時間が経過したのちにおいては、デシカント空調装置にて発揮されている加湿の進み具合、即ち調湿の進み具合を、調湿運転の時間が経過するほど高くなる状態で示すものである。
そこで、上述のように、湿度差導出手段により絶対湿度差を導出させて、その絶対湿度差に対応する情報を表示手段に表示させるようにすることにより、調湿運転の実行により得られる調湿の進み具合を、調湿運転を行うことによるメリットとして使用者に認識させることができる。
従って、調湿運転を行うことによるメリットを使用者に認識させ得るデシカント空調装置を提供することができるようになった。
【発明を実施するための最良の形態】
【００３０】
〔第１実施形態〕
以下、本発明の第１実施形態を説明する。
図１に示すように、デシカント空調装置は、外気ＯＡを装置内に吸い込むための外気吸込口１、その装置内に吸い込んだ外気ＯＡを供給用空気ＳＡとして住宅内に供給するための給気送出口２、住宅内の空気（以下、内気と称する）ＲＡを装置内に吸い込むための内気吸込口３及びその装置内に吸い込んだ内気ＲＡを排出用空気ＥＡとして屋外に排出するための排気送出口４を備えたケーシング５を用いて組み付けて構成してある。
【００３１】
図１７に示すように、デシカント空調装置Ｄを住宅の天井裏等に設置して、屋外から外気ＯＡを導入する外気導入ダクト６１を前記外気吸込口１に接続し、住宅内の複数の空調対象空間としての複数の空調対象室６２夫々の天井の給気口６３に分岐接続した給気ダクト６４を前記給気送出口２に接続し、廊下６５の天井に設けた１個の排気口６６に接続した排気ダクト６７を前記内気吸込口３に接続し、内気ＲＡを屋外に排出する排気導出ダクト６８を前記排気送出口４に接続する。
そして、外気導入ダクト６１を通じて導入した外気ＯＡを調湿して供給用空気ＳＡとして給気ダクト６４を通じて各給気口６３から各空調対象室６２に供給する共に、ドアのアンダーカット等から廊下６５に流出した各空調対象室６２の内気ＲＡを合流状態で排気口６６から前記排気ダクト６７を通じて吸込んで、排出用空気ＥＡとして前記排気導出ダクト６８を通じて屋外に排出するように構成してある。
【００３２】
この第１実施形態のデシカント空調装置は、除湿タイプであり、この除湿タイプのデシカント空調装置は、図１及び図５に示すように、外気ＯＡを供給用空気ＳＡとして空調対象室６２に供給する給気風路Ｖｓに通風作用する給気送風手段としての給気送風機７と、住宅内の空気である内気ＲＡを排出用空気ＥＡとして屋外に排出する排気風路Ｖｅに通風作用する排気送風手段としての排気送風機９と、一部を前記給気風路Ｖｓに位置させ且つ他の一部を前記排気風路Ｖｅに位置させるように配置されて駆動手段としての電動モータ１１により駆動回転される調湿体としての調湿ロータ１０、及び、前記排気風路Ｖｅにおける前記調湿ロータ１０よりも通風方向上手側箇所にて内気ＲＡに対して加熱作用する加熱手段としての除湿用加熱器１２を備えた調湿手段としての調湿部Ｂと、前記給気風路Ｖｓにおける前記調湿ロータ１０よりも通風方向下手側箇所を通流する外気ＯＡと前記排気風路Ｖｅにおける前記除湿用加熱器１２よりも通風方向上手側箇所を通流する内気ＲＡとを熱交換させる顕熱交換部Ｓと、このデシカント空調装置の運転を制御する運転制御手段としての運転制御部１３と、その運転制御部１３に各種制御情報を指令する遠隔操作式の操作部１４等を備えて構成してある。
【００３３】
前記給気風路Ｖｓは、前記ケーシング５の内部に形成した内部給気路６と、その内部給気路６における通風方向上手側に接続した前記外気導入ダクト６１と、その内部給気路６における通風方向下手側に接続した前記給気ダクト６４とを備えて構成してある。
又、前記排気風路Ｖｅは、前記ケーシング５の内部に形成した内部排気路８と、その内部排気路８における通風方向上手側に接続した前記排気ダクト６７と、その内部排気路８における通風方向下手側に接続した前記排気導出ダクト６８とを備えて構成してある。
つまり、前記給気風路Ｖｓを、供給用空気ＳＡを住宅内の複数の空調対象湿室６２に供給すべく複数に分岐し、前記排気風路Ｖｅにおける内気ＲＡの吸引部としての排気口６６を、前記複数の空調対象室６２にドアのアンダーカット等を介して通気可能に連通された住宅内の特定の空間である廊下６５に吸引作用するように構成してある。
【００３４】
以下、デシカント空調装置の各部について説明を加える。
図１ないし図３に示すように、前記ケーシング５は、薄型状の直方体形状に形成し、その厚さ方向視における４つの側壁のうちの一側壁に、第１吸込口５ａ及び第２送出口５ｄを並べて設け、それら第１吸込口５ａ及び第２送出口５ｄを設けた側壁に対向する側壁に、第２吸込口５ｃ及び第１送出口５ｂを第２吸込口５ｃが前記第１吸込口５ａと同じ側に位置する状態で並べて設けてある。
【００３５】
前記ケーシング５の内部を、中間隔壁１５にて、前記第１吸込口５ａ及び前記第２吸込口５ｃの側の風路形成部１６と、前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
【００３６】
図１、図２及び図４に示すように、前記調湿ロータ１０を、円盤状でその軸心方向に通気自在なハニカム状の基材に吸湿材（シリカゲルやゼオライト等）を保持して構成し、その外周部に全周にわたってギア部２１を設けてある。
そして、前記調湿ロータ１０をその軸心にて回転自在に矩形枠状の支持枠２２に支持すると共に、その支持枠２２に、前記電動モータ１１をその出力軸に設けたギア２３を前記調湿ロータ１０の外周部のギア部２１に噛み合わせた状態で設けて、ユニット状の潜熱交換ユニットＬを構成してある。
そして、電動モータ１１を作動させることにより、調湿ロータ１０を軸芯周りに駆動回転するように構成してある。
【００３７】
前記支持枠２２における前記調湿ロータ１０の軸心方向に並ぶ両側部の夫々には、一対の概ね半円状の開口２２ｗを、前記軸心方向視において一方の側部の開口２２ｗと他方の側部の開口２２ｗとが重なる状態で形成してある。
その支持枠２２の各開口２２ｗには、シール材２４をその先端が前記調湿ロータ１０に当接する状態で各開口２２ｗの全周にわたって嵌め込んで設けてある。
【００３８】
図１に示すように、前記顕熱交換部Ｓは、第１熱交換流路（図示省略）及び第２熱交換流路（図示省略）を直交する状態で且つ夫々の熱交換流路を通流する流体同士で熱交換される状態で備えた静止型の顕熱交換器２５にて構成してある。
説明を加えると、この顕熱交換器２５は、厚さ方向視の形状が略正方形状の直方体又は立方体状であり、図示は省略するが、厚さ方向に複数の第１熱交換流路及び複数の第２熱交換流路が隔壁を隔てて交互に並ぶ形態でアルミニウム等にて形成してある。
そして、この顕熱交換器２５における厚さ方向視での４つの側面のうちの１つの側面２５ａには、前記複数の第１熱交換流路の入口側開口部が形成され、その側面２５ａとは反対側の側面２５ｂには、前記複数の第１熱交換流路の出口側開口部が形成され、残りの２つの側面のうちの１つの側面２５ｃには、前記複数の第２熱交換流路の入口側開口部が形成され、その側面２５ｃとは反対側の側面２５ｄには、前記複数の第２熱交換流路の出口側開口部が形成されている。
【００３９】
そして、図１に示すように、前記潜熱交換ユニットＬ及び前記顕熱交換器２５を、前記ケーシング５内における前記風路形成部１６内に、潜熱交換ユニットＬを第１吸込口５ａの側に位置させる状態で第１吸込口５ａ及び第２吸込口５ｃの並び方向に並べて設けてある。
潜熱交換ユニットＬは、一対の開口２２ｗが前記ケーシング５の横幅方向に並ぶ姿勢で、前記ケーシング５内における前記風路形成部１６内を第１吸込口５ａの側の部分と第２吸込口５ｃの側の部分とに仕切る状態で設け、更に、その前記風路形成部１６内における潜熱交換ユニットＬよりも第１吸込口５ａの側の部分を、風路仕切り壁２６により、潜熱交換ユニットＬの一対の開口２２ｗのうちの一方と前記第１吸込口５ａが臨む第１吸込室２７と、潜熱交換ユニットＬの一対の開口２２ｗのうちの他方が臨む第２送出室２８とに仕切ってある。
【００４０】
前記顕熱交換器２５を、前記複数の第１熱交換流路の入口側開口部が形成された側面２５ａを前記中間隔壁１５の側とは反対側に向けた姿勢で、その側面２５ａと前記複数の第２熱交換流路の出口側開口部が形成された側面２５ｄとにより形成される角部２５ｅを潜熱交換ユニットＬ側に向けてその調湿ロータ１０に近接させた状態で設けて、前記風路形成部１６内における潜熱交換ユニットＬよりも前記第１吸込口５ａの側の部分を、前記複数の第１熱交換流路の入口側開口部が形成された側面２５ａと前記潜熱交換ユニットＬの一対の開口２２ｗのうちの一方とが臨む第１接続室２９、前記複数の第１熱交換流路の出口側開口部が形成された側面２５ｂが臨む第１送出室３０、前記複数の第２熱交換流路の入口側開口部が形成された側面２５ｃ及び前記第２吸込口５ｃが臨む第２吸込室３１、及び、前記複数の第２熱交換流路の出口側開口部が形成された側面２５ｄと前記潜熱交換ユニットＬの一対の開口２２ｗのうちの他方とが臨む第２接続室３２の４室に仕切ってある。
尚、潜熱交換ユニットＬにおける一対の開口部２２ｗの境界部分と顕熱交換器２５の前記角部２５ｅとわたって風路仕切り壁３３を設けて、その風路仕切り壁３３にて前記第１接続室２９と前記第２接続室３２とを仕切ってある。
【００４１】
前記顕熱交換器２５の配置形態について説明を加えると、この顕熱交換器２５は、その複数の第２熱交換流路の出口側開口部が形成された側面２５ｄが、前記調湿ロータ１０の軸芯方向の端面と４５°よりも小さい角度（例えば、２５°）で対向する状態に設けてある。
【００４２】
図１及び図３に示すように、前記中間隔壁１５には、前記第１送出室３０と前記第１送風機室１９とを連通する第１連通開口３４、及び、前記第２送出室２８と前記第２送風機室２０とを連通する第２連通開口３５を形成してある。
【００４３】
前記除湿用加熱器１２は、熱媒を通流させる熱媒流通管（図示省略）を空気の通過が可能なように蛇行状に配管した熱媒循環式に構成し、図１に示すように、その除湿用加熱器１２を、前記第２接続室３２内に、前記顕熱交換器２５における前記複数の第２熱交換流路の出口が形成された側面２５ｄに近接させた状態で設けてある。
そして、その除湿用加熱器１２と熱源機（図示省略）とを熱媒循環路３６にて接続して、その熱源機にて加熱した熱媒を熱媒循環路３６を通じて除湿用加熱器１２に循環供給するように構成してある。
そして、前記熱媒循環路３６に除湿用熱動弁３７を設けて、その除湿用熱動弁３７を開閉して前記除湿用加熱器１２への熱媒の供給を断続することにより、前記除湿用加熱器１２を加熱作用状態と加熱停止状態とに切り換え自在に構成してある。
【００４４】
図１に示すように、前記第１吸込口５ａ、前記第２吸込口５ｃには、夫々、通過する空気から除塵する第１フィルタ３８、第２フィルタ３９を設けてある。
【００４５】
この第１実施形態においては、前記第１吸込口５ａを前記外気吸込口１として、前記第１送出口５ｂを前記給気送出口２として夫々用い、前記給気送風機７を前記第１連通開口３４に吸引作用するように前記第１送風機室１９内に設けて、前記内部給気路６を、前記第１吸込室２７、前記第１接続室２９及び前記第１送出室３０を備えて構成してある。
そして、前記給気送風機７を作動させることにより、前記外気吸込口１から吸い込んだ外気ＯＡを、第１吸込室２７、調湿ロータ１０、第１接続室２９、顕熱交換器２５の第１熱交換流路、第１送出室３０、第１連通開口３４を順次通過させる形態で、内部給気路６を通して通流させて、給気送出口２から供給用空気ＳＡとして送出するように構成してある。
【００４６】
又、前記第２吸込口５ｃを前記内気吸込口３として、前記第２送出口５ｄを前記排気送出口４として夫々用い、前記排気送風機９を前記第２連通開口３５に吸引作用するように前記第２送風機室２０内に設けて、前記内部排気路８を、前記第２吸込室３１、前記第２接続室３２及び前記第２送出室２８とを備えて構成してある。
そして、前記排気送風機９を作動させることにより、前記内気吸込口３から吸い込んだ内気ＲＡを、第２吸込室３１、顕熱交換器２５の第２熱交換流路、第２接続室３２、調湿ロータ１０、第２送出室２８、第２連通開口３５を順次通過させる形態で、内部排気路８を通して通流させて、排気送出口４から排出用空気ＥＡとして送出するように構成してある。
【００４７】
前記運転制御部１３は、前記給気送風機７及び前記排気送風機９を作動させ、前記調湿ロータ１０を調湿用設定速度で回転駆動すべく電動モータ１１を作動し、前記除湿用加熱器１２を加熱作用状態にする除湿換気運転（調湿運転に相当する）と、前記給気送風機７及び前記排気送風機９を作動させ、前記電動モータ１１を停止させ、前記除湿用加熱器１２を加熱停止状態にする通常換気運転（換気運転に相当する）とに切り換え自在に構成してある。
【００４８】
図１及び図５に示すように、この第１実施形態では、前記給気風路Ｖｓにおける前記調湿ロータ１０よりも通風方向下手側箇所にて通流する外気ＯＡの絶対湿度を検出する下手側絶対湿度検出手段としての給気路下手側絶対湿度検出部Ｍ１を設けてある。
前記運転制御部１３を、前記除湿換気運転中において計測タイミングになると、前記通常換気運転に切り換えるように構成してある。
そして、除湿換気運転中において前記給気路下手側絶対湿度検出部Ｍ１にて検出された外気ＯＡの絶対湿度と前記通常換気運転中において前記給気路下手側絶対湿度検出部Ｍ１にて検出された外気ＯＡの絶対湿度との差である絶対湿度差を求めて、その求めた絶対湿度差に対応する情報を表示手段としての表示部５３に表示する湿度差導出手段としての湿度差導出部Ｃを設けてある。
【００４９】
更に、この第１実施形態では、前記排気風路Ｖｅにおける前記調湿ロータ１０よりも通風方向上手側箇所にて通流する内気ＲＡの絶対湿度を検出する上手側絶対湿度検出手段としての排気路上手側絶対湿度検出部Ｍ２を設けてある。
そして、湿度差導出部Ｃは、前記除湿換気運転中において前記排気路上手側絶対湿度検出部Ｍ２にて検出された内気ＲＡの絶対湿度と前記通常換気運転中において前記排気路上手側絶対湿度検出部Ｍ２にて検出された内気ＲＡの絶対湿度との差が設定値以下であることを条件にして、前記絶対湿度差を求めるように構成してある。
【００５０】
図１及び図５に示すように、前記湿度差導出部Ｃは前記運転制御部１３を用いて構成し、前記操作部１４には、前記表示部５３、及び、前記除湿換気運転と前記通常換気運転とに切り換える運転切換スイッチ５１等を設けてある。
【００５１】
前記給気路下手側絶対湿度検出部Ｍ１について説明を加えると、図１及び図５に示すように、この給気路下手側絶対湿度検出部Ｍ１は、前記内部給気路６における前記調湿ロータ１０よりも通風方向下手側で且つ前記顕熱交換器２５よりも通風方向上手側の箇所に設けた給気路下手側温度センサＳｔ１及び給気路下手側相対湿度センサＳｈ１、並びに、給気路下手側温度センサＳｔ１にて検出される外気ＯＡの温度及び給気路下手側相対湿度センサＳｈ１にて検出される外気ＯＡの相対湿度に基づいて外気ＯＡの絶対湿度を求める絶対湿度演算部Ｆを備えて構成してある。
【００５２】
前記排気路上手側絶対湿度検出部Ｍ２について説明を加えると、図１及び図５に示すように、この排気路上手側絶対湿度検出部Ｍ２は、前記内部排気路８における前記顕熱交換器２５よりも通風方向上手側の箇所に設けた排気路上手側温度センサＳｔ２及び排気路上手側相対湿度センサＳｈ２、並びに、排気路上手側温度センサＳｔ２にて検出される内気ＲＡの温度及び排気路上手側相対湿度センサＳｈ２にて検出される内気ＲＡの相対湿度に基づいて内気ＲＡの絶対湿度を検出する絶対湿度演算部Ｆを備えて構成してある。
【００５３】
前記給気路下手側絶対湿度検出部Ｍ１を構成する絶対湿度演算部Ｆと、前記排気路上手側絶対湿度検出部Ｍ２を構成する絶対湿度演算部Ｆとは同一の構成であり、この絶対湿度演算部Ｆは前記運転制御部１３を用いて構成してある。
この絶対湿度演算部Ｆは、温度及び相対湿度と絶対湿度との関係を示す絶対湿度導出用情報に基づいて、絶対湿度を求めるように構成してある。
具体的には、予め、温度及び相対湿度と絶対湿度との関係を求めて、図７に示す如きマップデータを作成して、そのマップデータを絶対湿度導出用情報として前記絶対湿度演算部Ｆに記憶させてある。ちなみに、このマップデータは、１°Ｃ毎の温度及び１％毎の相対湿度と絶対湿度との関係として求めてある。
そして、前記絶対湿度演算部Ｆは、温度センサの検出温度及び相対湿度センサの検出相対湿度、並びに、絶対湿度導出用情報に基づいて、絶対湿度を求めることになる。
【００５４】
又、図８に示すように、絶対湿度差（ｇ／ｋｇ）の大小に応じて、調湿能力（除湿能力）の段階を、絶対湿度差が大きくなるほど段階が高くなる形態で、複数（この実施形態では７段階）設定して、調湿能力段階情報として前記湿度差導出部Ｃに記憶させてある。
例えば、絶対湿度差α１以下は１段階、α１〜α２は２段階、α２〜α３は３段階絶対湿度、……………、α５〜α６は６段階、α６以上は７段階に設定してある。但し、α１＜α２＜α３……………α５＜α６である。
そして、湿度差導出部Ｃは、調湿能力段階情報に基づいて、求めた絶対湿度差に対応する調湿能力の段階を絶対湿度差に対応する情報として求めるように構成してある。
【００５５】
前記表示部５３は、図６に示すように、調湿能力段階情報に設定されている調湿能力の段階の数と同数のセグメント５３ｓを備えて構成してある。
そして、前記湿度差導出部Ｃは、複数のセグメント５３ｓのうち、求めた調湿能力の段階に対応するセグメント５３ｓを他のセグメント５３ｓとは異なる表示状態（例えば表示色が異なる）とすることにより、求めた絶対湿度差に対応する情報としての調湿能力の段階を表示部５３に表示するように構成してある。
【００５６】
次に、前記運転制御部１３の制御動作について説明する。
運転制御部１３は、前記操作部１４の運転切換スイッチ５１にて通常換気運転が指令されると通常換気運転を実行し、前記操作部１４の運転切換スイッチ５１にて除湿換気運転が指令されると除湿換気運転を実行するように構成してある。
【００５７】
前記運転制御部１３は、前記除湿換気運転では、前記給気送風機７及び前記排気送風機９夫々を作動させ、前記調湿ロータ１０を予め設定した調湿用設定速度にて回転駆動するように前記電動モータ１１を作動させ、前記除湿用熱動弁３７を開弁して前記除湿用加熱器１２を加熱作用状態にする。
【００５８】
この除湿換気運転では、図１及び図５を参照すると、内気吸込口３から内部排気路８に吸い込まれた内気ＲＡは、顕熱交換器２５の第２熱交換流路、加熱作用状態の除湿用加熱器１２、前記調湿用設定速度にて回転する調湿ロータ１０を順次通過して、排気送出口４から排気導出ダクト６８を通じて排出用空気ＥＡとして屋外に排出され、一方、給気吸込口１から内部給気路６に吸い込まれた外気ＯＡは、前記調湿用設定速度にて回転する調湿ロータ１０、顕熱交換器２５の第１熱交換流路を順次通過して通流して、給気送出口２から給気ダクト６４を通じて供給用空気ＳＡとして各空調対象室６２に供給される。
【００５９】
そして、内気ＲＡは、顕熱交換器２５を通過するときに、外気ＯＡとの熱交換により加熱され、更に、除湿用加熱器１２を通過することで加熱され、そのように加熱された内気ＲＡが調湿ロータ１０を通過するときに調湿ロータ１０から放湿されて加湿された後、排出用空気ＥＡとして屋外に排出され、一方、外気ＯＡは、調湿ロータ１０を通過するときに、その外気ＯＡ中の水蒸気が調湿ロータ１０に吸収されて除湿されると共に凝縮熱により加熱され、そのように除湿並びに加熱された外気ＯＡが顕熱交換器２５を通過するときに内気ＲＡとの熱交換により冷却され、そのように除湿並びに冷却された外気ＯＡが供給用空気ＳＡとして各空調対象室６２に供給されるので、各空調対象室６２が換気されながら除湿される。
【００６０】
前記運転制御部１３は、前記通常換気運転では、前記給気送風機７及び前記排気送風機９夫々を作動させ、前記電動モータ１１を停止させて前記調湿ロータ１０の回転を停止させ、前記除湿用熱動弁３７を閉弁して前記除湿用加熱器１２を加熱停止状態にする。
この通常換気運転では、図１及び図５を参照すると、内気吸込口３から内部排気路８に吸い込まれた各空調対象室６２の内気ＲＡは、顕熱交換器２５の第２熱交換流路、加熱停止状態の除湿用加熱器１２、回転停止状態の調湿ロータ１０を順次通過して、排気送出口４から排気導出ダクト６８を通じて排出用空気ＥＡとして屋外に排出され、一方、給気吸込口１から内部給気路６に吸い込まれた外気ＯＡは、回転停止状態の調湿ロータ１０、顕熱交換器２５の第１熱交換流路を順次通過して通流して、給気送出口２から給気ダクト６４を通じて供給用空気ＳＡとして各空調対象室６２に供給されることになり、各空調対象室６２が換気される。
【００６１】
前記運転制御部１３は、除湿換気運転の実行中において所定の計測タイミング（例えば３０分毎）になると、通常換気運転に切り換えて、前記湿度差導出部Ｃに絶対湿度差を求める湿度差導出処理を実行させ、その湿度差導出処理が終了すると、前記操作部１４の運転切換スイッチ５１にて通常換気運転が指令される状態では通常換気運転を実行し、前記操作部１４の運転切換スイッチ５１にて除湿換気運転が指令された状態では除湿換気運転を実行する。
【００６２】
前記湿度差導出部Ｃによる湿度差導出処理について説明する。
この湿度差導出部Ｃは、除湿換気運転の実行中には、前記計測タイミングよりも短い読み込みタイミング毎（例えば１分毎）に、前記給気路下手側絶対湿度検出部Ｍ１にて検出される除湿換気運転中の外気ＯＡの絶対湿度ＨＡ１ｎ、及び、前記排気路上手側絶対湿度検出部Ｍ２にて検出される除湿換気運転中の内気ＲＡの絶対湿度ＨＡ２ｎを読み込む。
そして、計測タイミングになって通常換気運転に切り換えられると、設定時間の間における給気路下手側温度センサＳｔ１の検出温度Ｔ１ｆの変化が設定温度以下になることに基づいて、除湿用加熱器１２が加熱停止状態に切り換えられた後に調湿ロータ１０の温度が十分に低下して平衡状態になったと判別すると、前記給気路下手側絶対湿度検出部Ｍ１にて検出される通常換気運転中の外気ＯＡの絶対湿度ＨＡ１ｆ、及び、前記排気路上手側絶対湿度検出部Ｍ２にて検出される通常換気運転中の内気ＲＡの絶対湿度ＨＡ２ｆを読み込む。
【００６３】
続いて、計測タイミングになる直前に読み込んだ除湿換気運転中の内気ＲＡの絶対湿度ＨＡ２ｎと計測タイミングになった後に読み込んだ通常換気運転中の内気ＲＡの絶対湿度ＨＡ２ｆとの差が設定値以下であれば、下記の式１にて絶対湿度差ΔＨを求めると共に、その求めた絶対湿度差ΔＨに対応する調湿能力の段階を求めて、その求めた調湿能力の段階を表示部５３に表示する。
【００６４】
ΔＨ＝ＨＡ１ｆ−ＨＡ１ｎ……………（式１）
【００６５】
又、除湿換気運転中の内気ＲＡの絶対湿度ＨＡ２ｎと通常換気運転中の内気ＲＡの絶対湿度ＨＡ２ｆとの差が設定値よりも大きい場合は、絶対湿度差ΔＨを求めずに、次の計測タイミングになるのを待って、再度、湿度差導出処理を実行する。
【００６６】
次に、図９及び図１０に示すフローチャートに基づいて、このデシカント空調装置の制御動作を説明する。
図９に示すように、前記運転制御部１３は、前記運転切換スイッチ５１にて通常換気運転が指令された状態では、前記通常換気運転を実行し、続いて、表示部５３の表示作動を制御する表示処理を実行し、前記運転切換スイッチ５１にて除湿換気運転が指令された状態では、前記除湿換気運転を実行し、読み込みタイミング毎に、除湿換気運転中の外気ＯＡの絶対湿度ＨＡ１ｎ及び除湿換気運転中の内気ＲＡの絶対湿度ＨＡ２ｎを読み込み、続いて、計測タイミングになると、通常換気運転に切り換えた後、前記湿度差導出処理を実行して、絶対湿度差ΔＨに対応する調湿能力の段階を求め、続いて、前記表示処理を実行する（ステップ＃１〜１０）。
前記除湿換気運転の実行中の表示処理においては、湿度差導出処理にて求めた絶対湿度差ΔＨに対応する調湿能力の段階を表示部５３に表示し、前記通常換気運転の実行中の表示処理においては、表示部５３の表示作動を停止する。
【００６７】
図１０に示すように、湿度差導出処理においては、設定時間の間における給気路下手側温度センサＳｔ１の検出温度Ｔ１ｆの変化が設定温度以下になることに基づいて調湿ロータ１０の温度が平衡状態になったと判別すると、通常換気運転中の外気ＯＡの絶対湿度ＨＡ１ｆ、及び、通常換気運転中の内気ＲＡの絶対湿度ＨＡ２ｆを読み込む（ステップ＃１１，１２）。
続いて、ステップ＃１３において、除湿換気運転中の内気ＲＡの絶対湿度ＨＡ２ｎから通常換気運転中の内気ＲＡの絶対湿度ＨＡ２ｆを減じた値の絶対値が設定値Ｋ以下か否かを判別して、以下であれば、ステップ＃１４において、上記の式１により絶対湿度差ΔＨを求めると共に、その求めた絶対湿度差ΔＨに対応する調湿能力の段階を求めて、リターンする。
【００６８】
ステップ＃１３において、除湿換気運転中の内気ＲＡの絶対湿度ＨＡ２ｎから通常換気運転中の内気ＲＡの絶対湿度ＨＡ２ｆを減じた値の絶対値が設定値Ｋよりも大きいと判別すると、絶対湿度差ΔＨを求めることなく、リターンする。
【００６９】
つまり、除湿換気運転中の内気ＲＡの絶対湿度ＨＡ２ｎから通常換気運転中の内気ＲＡの絶対湿度ＨＡ２ｆを減じた値の絶対値が設定値Ｋよりも大きい場合は、湿度差導出処理を実行しても、絶対湿度差ΔＨを求めずに、次の計測タイミングになると、新たに、湿度差導出処理を実行することになり、表示部５３の表示内容が変更されることがない。
【００７０】
以下、本発明の第２〜第４の各実施形態を説明するが、各実施形態は、絶対湿度差を求める構成における別の実施形態を説明するものであって、デシカント空調装置の全体構成は第１実施形態と同様であるので、デシカント空調装置の全体構成についての説明を省略する。
【００７１】
〔第２実施形態〕
この第２実施形態においても、前記運転制御部１３を、前記除湿換気運転中において計測タイミングになると、前記通常換気運転に切り換えるように構成してある。
そして、図１１に示すように、この第２実施形態においては、前記排気風路Ｖｅにおける前記調湿ロータ１０よりも通風方向下手側箇所にて通流する空気の絶対湿度を検出する下手側絶対湿度検出手段としての排気路下手側絶対湿度検出部Ｍ３を設け、前記除湿換気運転中において前記排気路下手側絶対湿度検出部Ｍ３にて検出された絶対湿度と前記通常換気運転中において前記排気路下手側絶対湿度検出部Ｍ３にて検出された絶対湿度との差である絶対湿度差を求めて、その求めた絶対湿度差に対応する情報を表示部１３に表示する湿度差導出部Ｃを設けてある。
【００７２】
更に、この第２実施形態では、前記給気風路Ｖｓにおける前記調湿ロータ１０よりも通風方向上手側箇所にて通流する外気ＯＡの絶対湿度を検出する上手側絶対湿度検出手段としての給気路上手側絶対湿度検出部Ｍ４を設けて、前記湿度差導出部Ｃは、前記除湿換気運転中において前記給気路上手側絶対湿度検出部Ｍ４にて検出された外気ＯＡの絶対湿度と前記通常換気運転中において前記給気路上手側絶対湿度検出部Ｍ４にて検出された外気ＯＡの絶対湿度との差が設定値以下であることを条件にして、前記絶対湿度差を求めるように構成してある。
【００７３】
前記排気路下手側絶対湿度検出部Ｍ３について説明を加えると、この排気路下手側絶対湿度検出部Ｍ３は、前記内部排気路８における前記調湿ロータ１０よりも通風方向下手側の箇所に設けた排気路下手側温度センサＳｔ３及び排気路下手側相対湿度センサＳｈ３、並びに、排気路下手側温度センサＳｔ３にて検出される内気ＲＡの温度及び排気路下手側相対湿度センサＳｈ３にて検出される内気ＲＡの相対湿度に基づいて内気ＲＡの絶対湿度を求める絶対湿度演算部Ｆを備えて構成してある。
【００７４】
前記給気路上手側絶対湿度検出部Ｍ４について説明を加えると、この給気路上手側絶対湿度検出部Ｍ４は、前記内部給気路６における前記調湿ロータ１０よりも通風方向上手側の箇所に設けた給気路上手側温度センサＳｔ４及び給気路上手側相対湿度センサＳｈ４、並びに、給気路上手側温度センサＳｔ４にて検出される外気ＯＡの温度及び給気路上手側相対湿度センサＳｈ４にて検出される外気ＯＡの相対湿度に基づいて外気ＯＡの絶対湿度を求める絶対湿度演算部Ｆを備えて構成してある。
【００７５】
前記排気路下手側絶対湿度検出部Ｍ３を構成する絶対湿度演算部Ｆと、前記給気路上手側絶対湿度検出部Ｍ４を構成する絶対湿度演算部Ｆは、第１実施形態と同様に、前記運転制御部１３を用いて構成して、図７に示すマップデータの如き温度及び相対湿度と絶対湿度との関係を示す絶対湿度導出用情報に基づいて、絶対湿度を求めるように構成してある。
前記湿度差導出部Ｃには、第１実施形態と同様に、調湿能力段階情報を記憶させてあり、前記湿度差導出部Ｃは、第１実施形態と同様に、この調湿能力段階情報に基づいて、絶対湿度差に対応する調湿能力の段階を絶対湿度差に対応する情報として求めて、その求めた調湿能力の段階を表示部５３に表示するように構成してある。
【００７６】
第１実施形態と同様に、前記運転制御部１３は、除湿換気運転の実行中において所定の計測タイミングになると、通常換気運転に切り換えて、前記湿度差導出部Ｃに絶対湿度差を求める湿度差導出処理を実行させ、その湿度差導出処理が終了すると、前記操作部１４の運転切換スイッチ５１にて通常換気運転が指令される状態では通常換気運転を実行し、前記操作部１４の運転切換スイッチ５１にて除湿換気運転が指令された状態では除湿換気運転を実行するように構成してある。
【００７７】
前記湿度差導出部Ｃによる湿度差導出処理について説明する。
この湿度差導出部Ｃは、除湿換気運転の実行中には、前記読み込みタイミング毎に、前記排気路下手側絶対湿度検出部Ｍ３にて検出される除湿換気運転中の内気ＲＡの絶対湿度ＨＡ３ｎ、及び、前記給気路上手側絶対湿度検出部Ｍ４にて検出される除湿換気運転中の外気ＯＡの絶対湿度ＨＡ４ｎを読み込む。
そして、計測タイミングになって通常換気運転に切り換えられると、設定時間の間における排気路下手側温度センサＳｔ３の検出温度Ｔ３ｆの変化が設定温度以下になることに基づいて、調湿ロータ１０の温度が平衡状態になったと判別すると、前記排気路下手側絶対湿度検出部Ｍ３にて検出される通常換気運転中の内気ＲＡの絶対湿度ＨＡ３ｆ、及び、前記給気路上手側絶対湿度検出部Ｍ４にて検出される通常換気運転中の外気ＯＡの絶対湿度ＨＡ４ｆを読み込む。
【００７８】
続いて、計測タイミングになる直前に読み込んだ除湿換気運転中の外気ＯＡの絶対湿度ＨＡ４ｎと計測タイミングになった後に読み込んだ通常換気運転中の外気ＯＡの絶対湿度ＨＡ４ｆとの差が設定値以下であれば、下記の式２にて絶対湿度差ΔＨを求めると共に、その求めた絶対湿度差ΔＨに対応する調湿能力の段階を求めて、その求めた調湿能力の段階を表示部５３に表示する。
【００７９】
ΔＨ＝ＨＡ３ｎ−ＨＡ３ｆ……………（式２）
【００８０】
又、除湿換気運転中の外気ＯＡの絶対湿度ＨＡ４ｎと通常換気運転中の外気ＯＡの絶対湿度ＨＡ４ｆとの差が設定値よりも大きい場合は、絶対湿度差ΔＨを求めずに、次の計測タイミングになるのを待って、再度、湿度差導出処理を実行する。
【００８１】
〔第３実施形態〕
この第３実施形態においては、図５に示すように、下手側絶対湿度検出手段としての給気路下手側絶対湿度検出部Ｍ１を、前記給気風路Ｖｓにおける前記調湿ロータ１０よりも通風方向下手側箇所にて通流する外気ＯＡの絶対湿度を検出するように設け、且つ、上手側絶対湿度検出手段としての排気路上手側絶対湿度検出部Ｍ２を、前記排気風路Ｖｅにおける前記調湿ロータ１０よりも通風方向上手側箇所にて通流する内気ＲＡの絶対湿度を検出するように設けてある。
そして、前記給気路下手側絶対湿度検出部Ｍ１にて検出された外気ＯＡの絶対湿度と前記排気路上手側絶対湿度検出部Ｍ２にて検出された内気ＲＡの絶対湿度との差である絶対湿度差を求めて、その求めた絶対湿度差に対応する情報を表示手段としての表示部５３に表示する湿度差導出手段としての湿度差導出部Ｃを設けてある。
【００８２】
前記給気路下手側絶対湿度検出部Ｍ１及び前記排気路上手側絶対湿度検出部Ｍ２は、第１実施形態と同様に構成してあるので、説明を省略する。
絶対湿度差（ｇ／ｋｇ）の大小に応じて、調湿の進み具合（除湿の進み具合）の段階を、絶対湿度差が小さくなるほど段階が高くなる形態で、複数（この実施形態では７段階）設定して、調湿進み具合段階情報として前記湿度差導出部Ｃに記憶させてある。
そして、前記湿度差導出部Ｃは、調湿進み具合段階情報に基づいて、絶対湿度差に対応する調湿の進み具合の段階を絶対湿度差に対応する情報として求め、求めた調湿の進み具合の段階を表示部５３に表示するように構成してある。但し、除湿換気運転の開始時から調湿部Ｂにおける調湿作用が定常状態になるまでの間は、調湿ロータ１０による外気ＯＡからの吸湿量が少なくて、給気路下手側絶対湿度検出部Ｍ１にて検出された外気ＯＡの絶対湿度が余り低下しないことから、給気路下手側絶対湿度検出部Ｍ１にて検出された外気ＯＡの絶対湿度と排気路上手側絶対湿度検出部Ｍ２にて検出された内気ＲＡの絶対湿度との差が小さい場合があるので、除湿換気運転を開始したのち、設定時間（例えば、３０分程度）が経過するまでは、表示部５３の表示状態を、全てのセグメント５３を点滅状態にする等、調湿の進み具合の表示状態とは異なる表示状態にして、予備運転中であることを表示する。
【００８３】
前記湿度差導出部Ｃは、除湿換気運転の実行中は、所定の計測タイミング（例えば１分毎）になると、絶対湿度差を求めると共に、求めた絶対湿度差に対応する調湿能力の段階を求めて、求めた調湿能力の段階を表示部５３に表示する湿度差導出処理を実行するように構成してある。
以下、前記湿度差導出部Ｃによる湿度差導出処理について説明する。
この湿度差導出部Ｃは、計測タイミングになると、前記給気路下手側絶対湿度検出部Ｍ１にて検出される除湿換気運転中の外気ＯＡの絶対湿度ＨＡ１ｎ、及び、前記排気路上手側絶対湿度検出部Ｍ２にて検出される除湿換気運転中の内気ＲＡの絶対湿度ＨＡ２ｎを読み込み、それら読み込みデータに基づいて、下記の式３に基づいて絶対湿度差ΔＨを求めると共に、その求めた絶対湿度差ΔＨに対応する調湿の進み具合の段階を求めて、その求めた調湿の進み具合の段階を表示部５３に表示する。
【００８４】
ΔＨ＝ＨＡ２ｎ−ＨＡ１ｎ……………（式３）
【００８５】
〔第４実施形態〕
この第４実施形態においては、図１１に示すように、下手側絶対湿度検出手段としての排気路下手側絶対湿度検出部Ｍ３を、前記排気風路Ｖｅにおける前記調湿ロータ１０よりも通風方向下手側箇所にて通流する内気ＲＡの絶対湿度を検出するように設け、且つ、上手側絶対湿度検出手段としての給気路上手側絶対湿度検出部Ｍ４を、前記給気風路Ｖｓにおける前記調湿ロータ１０よりも通風方向上手側箇所にて通流する外気ＯＡの絶対湿度を検出するように設けてある。
そして、前記排気路下手側絶対湿度検出部Ｍ３にて検出された内気ＲＡの絶対湿度と前記給気路上手側絶対湿度検出部Ｍ４にて検出された外気ＯＡの絶対湿度との差である絶対湿度差を求めて、その求めた絶対湿度差に対応する情報を表示手段としての表示部５３に表示する湿度差導出手段としての湿度差導出部Ｃを設けてある。
【００８６】
前記排気路下手側絶対湿度検出部Ｍ３及び前記給気路上手側絶対湿度検出部Ｍ４は、第２実施形態と同様に構成してあるので、それらの説明を省略する。
又、前記湿度差導出部Ｃには、第３実施形態と同様の調湿進み具合段階情報を記憶させてあり、第３実施形態と同様に絶対湿度差を求めると共に、求めた絶対湿度差に対応する調湿の進み具合の段階を求めて、その求めた調湿の進み具合の段階を絶対湿度差に対応する情報として表示部５３に表示するように構成してある。但し、除湿換気運転の開始時から調湿部Ｂにおける調湿作用が定常状態になるまでの間は、調湿ロータ１０による内気ＲＡへの放湿量が少なくて、排気路下手側絶対湿度検出部Ｍ３にて検出された内気ＲＡの絶対湿度が余り上昇しないことから、排気路下手側絶対湿度検出部Ｍ３にて検出された内気ＲＡの絶対湿度と給気路上手側絶対湿度検出部Ｍ４にて検出された外気ＯＡの絶対湿度との差が小さい場合があるので、上記の第３実施形態と同様に、除湿換気運転を開始したのち、設定時間が経過するまでは、表示部５３の表示状態を、調湿の進み具合の表示状態とは異なる表示状態にして、予備運転中であることを表示する。
【００８７】
前記湿度差導出部Ｃは、除湿換気運転の実行中は、所定の計測タイミング（例えば１分毎）になると、絶対湿度差を求めると共に、求めた絶対湿度差に対応する調湿能力の段階を求めて、求めた調湿能力の段階を表示部５３に表示する湿度差導出処理を実行するように構成してある。
以下、前記湿度差導出部Ｃによる湿度差導出処理について説明する。
この湿度差導出部Ｃは、計測タイミングになると、前記排気路下手側絶対湿度検出部Ｍ３にて検出される除湿換気運転中の内気ＲＡの絶対湿度ＨＡ３ｎ、及び、前記給気路上手側絶対湿度検出部Ｍ４にて検出される除湿換気運転中の外気ＯＡの絶対湿度ＨＡ４ｎを読み込み、それら読み込みデータに基づいて、下記の式４に基づいて絶対湿度差ΔＨを求めると共に、その求めた絶対湿度差ΔＨに対応する調湿の進み具合の段階を求めて、その求めた調湿の進み具合の段階を表示部５３に表示する。
【００８８】
ΔＨ＝ＨＡ３ｎ−ＨＡ４ｎ……………（式４）
【００８９】
〔第５実施形態〕
以下、本発明の第５実施形態を説明する。
この第５実施形態のデシカント空調装置は、加湿タイプであり、図１２に示すように、上記の第１実施形態と同様に、外気吸込口１、給気送出口２、内気吸込口３及び排気送出口４を備えたケーシング５を用いて組み付けて構成してある。
そして、第１実施形態と同様に、デシカント空調装置Ｄを住宅の天井裏等に設置して、外気ＯＡを導入する外気導入ダクト６１を前記外気吸込口１に接続し、複数の空調対象室６２夫々の給気口６３に分岐接続した給気ダクト６４を前記給気送出口２に接続し、廊下６５の天井に設けた排気口６６に接続した排気ダクト６７を前記内気吸込口３に接続し、内気ＲＡを屋外に排出する排気導出ダクト６８を前記排気送出口４に接続して、前記外気導入ダクト６１を通じて導入した外気ＯＡを調湿して供給用空気ＳＡとして前記給気ダクト６４を通じて各給気口６３から各空調対象室６２に供給する共に、前記排気口６６から前記排気ダクト６７を通じて吸込んだ内気ＲＡを排出用空気ＥＡとして前記排気導出ダクト６８を通じて屋外に排出するように構成してある。
【００９０】
この加湿タイプのデシカント空調装置は、図１２及び図１３に示すように、外気ＯＡを供給用空気ＳＡとして空調対象室６２に供給する給気風路Ｖｓに通風作用する給気送風手段としての給気送風機７と、住宅内の空気である内気ＲＡを排出用空気ＥＡとして屋外に排出する排気風路Ｖｅに通風作用する排気送風手段としての排気送風機９と、一部を前記給気風路Ｖｓに位置させ且つ他の一部を前記排気風路Ｖｅに位置させるように配置されて駆動手段としての電動モータ１１により駆動回転される調湿体としての調湿ロータ１０、及び、前記給気風路Ｖｓにおける前記調湿ロータ１０よりも通風方向上手側箇所にて外気ＯＡに対して加熱作用する加熱手段としての加湿用加熱器４０を備えた調湿手段としての調湿部Ｂと、前記給気風路Ｖｓにおける前記加湿用加熱器４０よりも通風方向上手側箇所を通流する外気ＯＡと前記排気風路Ｖｅにおける前記調湿ロータ１０よりも通風方向下手側箇所を通流する内気ＲＡとを熱交換させる顕熱交換部Ｓと、このデシカント空調装置の運転を制御する運転制御手段としての運転制御部１３と、その運転制御部１３に各種制御情報を指令する遠隔操作式の操作部１４等を備えて構成してある。
【００９１】
上記の第１実施形態と同様に、前記給気風路Ｖｓは、前記ケーシング５の内部に形成した内部給気路６と、その内部給気路６における通風方向上手側に接続した前記外気導入ダクト６１と、その内部給気路６における通風方向下手側に接続した前記給気ダクト６４とを備えて構成してある。
又、前記排気風路Ｖｅは、前記ケーシング５の内部に形成した内部排気路８と、その内部排気路８における通風方向上手側に接続した前記排気ダクト６７と、その内部排気路８における通風方向下手側に接続した前記排気導出ダクト６８とを備えて構成してある。
つまり、前記給気風路Ｖｓを、供給用空気ＳＡを住宅内の複数の空調対象湿室６２に供給すべく複数に分岐し、前記排気風路Ｖｅにおける内気ＲＡの吸引部としての排気口６６を、前記複数の空調対象室６２にドアのアンダーカット等を介して通気可能に連通された住宅内の特定の空間である廊下６５に吸引作用するように構成してある。
【００９２】
以下、デシカント空調装置の各部について説明を加える。
上記の第１実施形態と同様に、第１吸込口５ａ、第１送出口５ｂ、第２吸込口５ｃ及び第２送出口５ｄを備えたケーシング５の内部を、中間隔壁１５にて、前記第１吸込口５ａ及び前記第２吸込口５ｃの側の風路形成部１６と前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
【００９３】
そして、第１実施形態と同様に構成した潜熱交換ユニットＬ及び顕熱交換器２５を、第１実施形態と同様に、前記ケーシング５内における前記風路形成部１６内に並べて設け、更に、第１実施形態と同様に、前記風路形成部１６内における潜熱交換ユニットＬよりも第１吸込口５ａの側の部分を、風路仕切り壁２６により、第１吸込室２７と第２送出室２８とに仕切り、前記風路形成部１６内における潜熱交換ユニットＬよりも第２吸込口５ｃの側の部分を、顕熱交換器２５により、第１接続室２９、第１送出室３０、第２吸込室３１及び第２接続室３２の４室に仕切ってある。
【００９４】
前記顕熱交換器２５の配置形態について説明を加えると、この第５実施形態においても、上記の第１実施形態と同様に、前記顕熱交換器２５は、その複数の第２熱交換流路の出口側開口部が形成された側面２５ｄが、前記調湿ロータ１０の軸芯方向の端面と４５°よりも小さい角度で対向する状態に設けてある。
【００９５】
前記加湿用加熱器４０は、熱媒を通流させる熱媒流通管（図示省略）を空気の通過が可能なように蛇行状に配管した熱媒循環式に構成し、図１２に示すように、その加湿用加熱器４０を、前記第２接続室３２内に、前記顕熱交換器２５における前記複数の第２熱交換流路の出口が形成された側面２５ｄに近接させた状態で設けてある。
そして、その加湿用加熱器４０と熱源機（図示省略）とを熱媒循環路４１にて接続して、その熱源機にて加熱した熱媒を熱媒循環路４１を通じて加湿用加熱器４０に循環供給するように構成してある。
そして、前記熱媒循環路４１に加湿用熱動弁４２を設けて、その加湿用熱動弁４２を開閉して前記加湿用加熱器４０への熱媒の供給を断続することにより、前記加湿用加熱器４０を加熱作用状態と加熱停止状態とに切り換え自在に構成してある。
【００９６】
この第５実施形態においても、第１実施形態と同様に、前記第１吸込口５ａ、前記第２吸込口５ｃに、夫々、第１フィルタ３８、第２フィルタ３９を設けてある。
【００９７】
この第５実施形態においては、前記第１吸込口５ａを前記内気吸込口３として、前記第１送出口５ｂを前記排気送出口４として夫々用い、前記排気送風機９を前記第１連通開口３４に吸引作用するように前記第１送風機室１９内に設けて、前記内部排気路８を、前記第１吸込室２７、前記第１接続室２９及び前記第１送出室３０とを備えて構成してある。
そして、前記排気送風機９を作動させることにより、前記内気吸込口３から吸い込んだ内気ＲＡを、第１吸込室２７、調湿ロータ１０、第１接続室２９、顕熱交換器２５の第１熱交換流路、第１送出室３０、第１連通開口３４を順次通過させる形態で、内部排気路８を通して通流させて、排気送出口４から排出用空気ＥＡとして送出するように構成してある。
【００９８】
又、前記第２吸込口５ｃを前記外気吸込口１として、前記第２送出口５ｄを前記給気送出口２として夫々用い、前記給気送風機７を前記第２連通開口３５に吸引作用するように前記第２送風機室２０内に設けて、前記内部給気路６を、前記第２吸込室３１、前記第２接続室３２及び前記第２送出室２８とを備えて構成してある。
そして、前記給気送風機７を作動させることにより、前記外気吸込口１から吸い込んだ外気ＯＡを、第２吸込室３１、顕熱交換器２５の第２熱交換流路、第２接続室３２、調湿ロータ１０、第２送出室２８、第２連通開口３５を順次通過させる形態で、内部給気路６を通して通流させて、給気送出口２から供給用空気ＳＡとして送出するように構成してある。
【００９９】
前記運転制御部１３は、前記給気送風機７及び前記排気送風機９を作動させ、前記調湿ロータ１０を調湿用設定速度で回転駆動すべく電動モータ１１を作動し、前記加湿用加熱器４０を加熱作用状態にする加湿換気運転（調湿運転に相当する）と、前記給気送風機７及び前記排気送風機９を作動させ、前記電動モータ１１を停止させ、前記加湿用加熱器４０を加熱停止状態にする通常換気運転（換気運転に相当する）とに切り換え自在に構成してある。
【０１００】
図１２及び図１３に示すように、この第５実施形態では、前記排気風路Ｖｅにおける前記調湿ロータ１０よりも通風方向下手側箇所にて通流する内気ＲＡの絶対湿度を検出する下手側絶対湿度検出手段としての排気路下手側絶対湿度検出部Ｍ５を設けてある。
前記運転制御部１３を、前記加湿換気運転中において計測タイミングになると、前記通常換気運転に切り換えるように構成され、
そして、加湿換気運転中において前記排気路下手側絶対湿度検出部Ｍ５にて検出された内気ＲＡの絶対湿度と前記通常換気運転中において前記排気路下手側絶対湿度検出部Ｍ５にて検出された内気ＲＡの絶対湿度との差である絶対湿度差を求めて、その求めた絶対湿度差に対応する情報を表示手段としての表示部５３に表示する湿度差導出手段としての湿度差導出部Ｃを設けてある。
【０１０１】
更に、この第５実施形態では、前記給気風路Ｖｓにおける前記調湿ロータ１０よりも通風方向上手側箇所にて通流する外気ＯＡの絶対湿度を検出する上手側絶対湿度検出手段としての給気路上手側絶対湿度検出部Ｍ６を設けてある。
そして、湿度差導出部Ｃは、前記加湿換気運転中において前記給気路上手側絶対湿度検出部Ｍ６にて検出された外気ＯＡの絶対湿度と前記通常換気運転中において前記給気路上手側絶対湿度検出部Ｍ６にて検出された外気ＯＡの絶対湿度との差が設定値以下であることを条件にして、前記絶対湿度差を求めるように構成されている
【０１０２】
図１２及び図１３に示すように、第１実施形態と同様に、前記湿度差導出部Ｃは前記運転制御部１３を用いて構成し、前記操作部１４には、前記表示部５３、及び、前記加湿換気運転と前記通常換気運転とに切り換える運転切換スイッチ５１等を設けてある。
【０１０３】
前記排気路下手側絶対湿度検出部Ｍ５について説明を加えると、図１２及び図１３に示すように、この排気路下手側絶対湿度検出部Ｍ５は、前記内部排気路８における前記調湿ロータ１０よりも通風方向下手側で且つ前記顕熱交換器２５よりも通風方向上手側の箇所に設けた排気路下手側温度センサＳｔ５及び排気路下手側相対湿度センサＳｈ５、並びに、排気路下手側温度センサＳｔ５にて検出される内気ＲＡの温度及び排気路下手側相対湿度センサＳｈ５にて検出される内気ＲＡの相対湿度に基づいて内気ＲＡの絶対湿度を求める絶対湿度演算部Ｆを備えて構成してある。
【０１０４】
前記給気路上手側絶対湿度検出部Ｍ６について説明を加えると、図１２及び図１３に示すように、この給気路上手側絶対湿度検出部Ｍ６は、前記内部給気路６における前記顕熱交換器２５よりも通風方向上手側の箇所に設けた給気路上手側温度センサＳｔ６及び給気路上手側相対湿度センサＳｈ６、並びに、給気路上手側温度センサＳｔ６にて検出される外気ＯＡの温度及び給気路上手側相対湿度センサＳｈ６にて検出される外気ＯＡの相対湿度に基づいて外気ＯＡの絶対湿度を検出する絶対湿度演算部Ｆを備えて構成してある。
【０１０５】
前記排気路下手側絶対湿度検出部Ｍ５を構成する絶対湿度演算部Ｆと、前記給気路上手側絶対湿度検出部Ｍ６を構成する絶対湿度演算部Ｆは、第１実施形態と同様に、前記運転制御部１３を用いて構成して、図７に示すマップデータの如き温度及び相対湿度と絶対湿度との関係を示す絶対湿度導出用情報に基づいて、絶対湿度を求めるように構成してある。
【０１０６】
又、第１実施形態と同様に、前記湿度差導出部Ｃは、図８に示す如き調湿能力段階情報に基づいて、絶対湿度差に対応する調湿能力の段階を絶対湿度差に対応する情報として求めて、図６に示すように、表示部５３における複数のセグメント５３ｓのうち、求めた調湿能力の段階に対応するセグメント５３ｓを他のセグメント５３ｓとは異なる表示状態とすることにより、絶対湿度差に対応する情報としての調湿能力の段階を表示部５３に表示するように構成してある。
【０１０７】
次に、前記運転制御部１３の制御動作について説明する。
運転制御部１３は、前記操作部１４の運転切換スイッチ５１にて通常換気運転が指令されると通常換気運転を実行し、前記操作部１４の運転切換スイッチ５１にて加湿換気運転が指令されると前記加湿換気運転を実行するように構成してある。
【０１０８】
前記運転制御部１３は、前記加湿換気運転では、前記給気送風機７及び前記排気送風機９夫々を作動させ、前記調湿ロータ１０を予め設定した調湿用設定速度にて回転駆動するように前記電動モータ１１を作動させ、前記加湿用熱動弁４２を開弁して前記加湿用加熱器４０を加熱作用状態にする。
【０１０９】
この加湿換気運転では、図１２及び図１３を参照すると、内気吸込口３から内部排気路８に吸い込まれた内気ＲＡは、前記調湿用設定速度にて回転する調湿ロータ１０、顕熱交換器２５の第１熱交換流路を順次通過して通流して、排気送出口４から排気導出ダクト６８を通じて排出用空気ＥＡとして屋外に排出され、一方、給気吸込口１から前記内部給気路６に吸い込まれた外気ＯＡは、顕熱交換器２５の第２熱交換流路、加熱作用状態の加湿用加熱器４０、前記調湿用設定速度にて回転する調湿ロータ１０を順次通過して通流して、給気送出口２から給気ダクト６４を通じて各空調対象室６２に供給される。
【０１１０】
そして、内気ＲＡは、調湿ロータ１０を通過するときに、その内気ＲＡ中の水蒸気が調湿ロータ１０に吸収されて内気ＲＡが除湿されると共に凝縮熱により加熱され、その除湿並びに加熱された内気ＲＡが顕熱交換器２５を通過するときに外気ＯＡとの熱交換により冷却された後、排出用空気ＥＡとして屋外に排出され、一方、外気ＯＡは、顕熱交換器２５を通過するときに内気ＲＡとの熱交換により加熱され、更に、前記加湿用加熱器４０を通過することで加熱され、そのように加熱された外気ＯＡが調湿ロータ１０を通過するときに調湿ロータ１０から放湿されて加湿され、そのように加湿並びに加熱された外気ＯＡが供給用空気ＳＡとして各空調対象室６２に供給されるので、各空調対象室６２が換気されながら加湿される。
【０１１１】
前記運転制御部１３は、前記通常換気運転では、前記給気送風機７及び前記排気送風機９夫々を作動させ、前記電動モータ１１を停止させて前記調湿ロータ１０の回転を停止させ、前記加湿用熱動弁４２を閉弁して前記加湿用加熱器４０を加熱停止状態にする。
この通常換気運転では、図１２及び図１３を参照すると、内気吸込口３から内部排気路８に吸い込まれた各空調対象室６２の内気ＲＡは、回転停止状態の調湿ロータ１０、顕熱交換器２５の第１熱交換流路を順次通過して通流して、排気送出口４から排気導出ダクト６８を通じて排出用空気ＥＡとして屋外に排出され、一方、給気吸込口１から内部給気路６に吸い込まれた外気ＯＡは、顕熱交換器２５の第２熱交換流路、加熱停止状態の加湿用加熱器４０、回転停止状態の調湿ロータ１０を順次通過して、給気送出口２から給気ダクト６４を通じて供給用空気ＳＡとして各空調対象室６２に供給されることになり、各空調対象室６２が換気される。
【０１１２】
前記運転制御部１３は、加湿換気運転の実行中において所定の計測タイミング（例えば３０分毎）になると、通常換気運転に切り換えて、前記湿度差導出部Ｃに絶対湿度差を求める湿度差導出処理を実行させ、その湿度差導出処理が終了すると、前記操作部１４の運転切換スイッチ５１にて通常換気運転が指令される状態では通常換気運転を実行し、前記操作部１４の運転切換スイッチ５１にて加湿換気運転が指令された状態では加湿換気運転を実行する。
【０１１３】
前記湿度差導出部Ｃによる湿度差導出処理について説明する。
前記湿度差導出部Ｃは、加湿換気運転の実行中には、前記計測タイミングよりも短い読み込みタイミング毎（例えば１分毎）に、前記排気路下手側絶対湿度検出部Ｍ５にて検出される加湿換気運転中の内気ＲＡの絶対湿度ＨＡ５ｎ、及び、前記給気路上手側絶対湿度検出部Ｍ６にて検出される加湿換気運転中の外気ＯＡの絶対湿度ＨＡ６ｎを読み込む。
そして、計測タイミングになって通常換気運転に切り換えられると、設定時間の間における排気路下手側温度センサＳｔ５の検出温度Ｔ５ｆの変化が設定温度以下になることに基づいて、加湿用加熱器４０が加熱停止状態に切り換えられた後に調湿ロータ１０の温度が十分に低下して平衡状態になったと判別すると、前記排気路下手側絶対湿度検出部Ｍ５にて検出される通常換気運転中の内気ＲＡの絶対湿度ＨＡ５ｆ、及び、前記給気路上手側絶対湿度検出部Ｍ６にて検出される通常換気運転中の外気ＯＡの絶対湿度ＨＡ６ｆを読み込む。
【０１１４】
続いて、計測タイミングになる直前に読み込んだ加湿換気運転中の外気ＯＡの絶対湿度ＨＡ６ｎと計測タイミングになった後に読み込んだ通常換気運転中の外気ＯＡの絶対湿度ＨＡ６ｆとの差が設定値以下であれば、下記の式５にて絶対湿度差ΔＨを求めると共に、その求めた絶対湿度差ΔＨに対応する調湿能力の段階を求めて、その求めた調湿能力の段階を表示部５３に表示する。
【０１１５】
ΔＨ＝ＨＡ５ｆ−ＨＡ５ｎ……………（式５）
【０１１６】
又、加湿換気運転中の外気ＯＡの絶対湿度ＨＡ６ｎと通常換気運転中の外気ＯＡの絶対湿度ＨＡ６ｆとの差が設定値よりも大きい場合は、絶対湿度差ΔＨを求めずに、次の計測タイミングになるのを待って、再度、湿度差導出処理を実行する。
【０１１７】
次に、図１４及び図１５に示すフローチャートに基づいて、このデシカント空調装置の制御動作を説明する。
図１４に示すように、前記運転制御部１３は、前記運転切換スイッチ５１にて通常換気運転が指令された状態では、前記通常換気運転を実行し、続いて、表示部５３の表示作動を制御する表示処理を実行し、前記運転切換スイッチ５１にて加湿換気運転が指令された状態では、前記加湿換気運転を実行し、読み込みタイミング毎に、加湿換気運転中の内気ＲＡの絶対湿度ＨＡ５ｎ及び加湿換気運転中の外気ＯＡの絶対湿度ＨＡ６ｎを読み込み、続いて、計測タイミングになると、通常換気運転に切り換えた後、前記湿度差導出処理を実行して、絶対湿度差ΔＨに対応する調湿能力の段階を求め、続いて、前記表示処理を実行する（ステップ＃２１〜３０）。
前記加湿換気運転の実行中の表示処理においては、湿度差導出処理にて求めた絶対湿度差ΔＨに対応する調湿能力の段階を表示部５３に表示し、前記通常換気運転の実行中の表示処理においては、表示部５３の表示作動を停止する。
【０１１８】
図１５に示すように、湿度差導出処理においては、設定時間の間における排気路下手側温度センサＳｔ５の検出温度Ｔ５ｆの変化が設定温度以下になることに基づいて調湿ロータ１０の温度が平衡状態になったと判別すると、通常換気運転中の内気ＲＡの絶対湿度ＨＡ５ｆ、及び、通常換気運転中の外気ＯＡの絶対湿度ＨＡ６ｆを求める（ステップ＃３１，３２）。
続いて、ステップ＃３３において、加湿換気運転中の外気ＯＡの絶対湿度ＨＡ６ｎから通常換気運転中の外気ＯＡの絶対湿度ＨＡ６ｆを減じた値の絶対値が設定値Ｋ以下か否かを判別して、以下であれば、ステップ＃３４において、上記の式５により絶対湿度差ΔＨを求めると共に、その求めた絶対湿度差ΔＨに対応する調湿能力の段階を求めて、リターンする。
【０１１９】
ステップ＃３３において、加湿換気運転中の外気ＯＡの絶対湿度ＨＡ６ｎから通常換気運転中の外気ＯＡの絶対湿度ＨＡ６ｆを減じた値の絶対値が設定値Ｋよりも大きいと判別すると、内外気湿度差ΔＨを求めることなく、リターンする。
【０１２０】
つまり、加湿換気運転中の外気ＯＡの絶対湿度ＨＡ６ｎから通常換気運転中の外気ＯＡの絶対湿度ＨＡ６ｆを減じた値の絶対値が設定値Ｋよりも大きい場合は、湿度差導出処理を実行しても、絶対湿度差ΔＨを求めずに、次の計測タイミングになると、新たに、湿度差導出処理を実行することになり、表示部５３の表示内容が変更されることがない。
【０１２１】
以下、本発明の第６〜第８の各実施形態を説明するが、各実施形態は、絶対湿度差を求める構成における別の実施形態を説明するものであって、デシカント空調装置の全体構成は第５実施形態と同様であるので、デシカント空調装置の全体構成についての説明を省略する。
【０１２２】
〔第６実施形態〕
この第６実施形態においても、前記運転制御部１３を、前記加湿換気運転中において計測タイミングになると、前記通常換気運転に切り換えるように構成してある。
そして、図１６に示すように、この第６実施形態においては、前記給気風路Ｖｓにおける前記調湿ロータ１０よりも通風方向下手側箇所にて通流する空気の絶対湿度を検出する下手側絶対湿度検出手段としての給気路下手側絶対湿度検出部Ｍ７を設け、前記加湿換気運転中において前記給気路下手側絶対湿度検出部Ｍ７にて検出された絶対湿度と前記通常換気運転中において前記給気路下手側絶対湿度検出部Ｍ７にて検出された絶対湿度との差である絶対湿度差を求めて、その求めた絶対湿度差に対応する情報を表示部１３に表示する湿度差導出部Ｃを設けてある。
【０１２３】
更に、この第６実施形態では、前記排気風路Ｖｅにおける前記調湿ロータ１０よりも通風方向上手側箇所にて通流する内気ＲＡの絶対湿度を検出する上手側絶対湿度検出手段としての排気路上手側絶対湿度検出部Ｍ８を設けて、前記湿度差導出部Ｃは、前記加湿換気運転中において前記排気路上手側絶対湿度検出部Ｍ８にて検出された内気ＲＡの絶対湿度と前記通常換気運転中において前記排気路上手側絶対湿度検出部Ｍ８にて検出された内気ＲＡの絶対湿度との差が設定値以下であることを条件にして、前記絶対湿度差を求めるように構成してある。
【０１２４】
前記給気路下手側絶対湿度検出部Ｍ７について説明を加えると、この給気路下手側絶対湿度検出部Ｍ７は、前記内部給気路６における前記調湿ロータ１０よりも通風方向下手側の箇所に設けた給気路下手側温度センサＳｔ７及び給気路下手側相対湿度センサＳｈ７、並びに、給気路下手側温度センサＳｔ７にて検出される外気ＯＡの温度及び給気路下手側相対湿度センサＳｈ７にて検出される外気ＯＡの相対湿度に基づいて外気ＯＡの絶対湿度を求める絶対湿度演算部Ｆを備えて構成してある。
【０１２５】
前記排気路上手側絶対湿度検出部Ｍ８について説明を加えると、この排気路上手側絶対湿度検出部Ｍ８は、前記内部排気路８における前記調湿ロータ１０よりも通風方向上手側の箇所に設けた排気路上手側温度センサＳｔ８及び排気路上手側相対湿度センサＳｈ８、並びに、排気路上手側温度センサＳｔ８にて検出される内気ＲＡの温度及び排気路上手側相対湿度センサＳｈ８にて検出される内気ＲＡの相対湿度に基づいて内気ＲＡの絶対湿度を求める絶対湿度演算部Ｆを備えて構成してある。
【０１２６】
前記給気路下手側絶対湿度検出部Ｍ７を構成する絶対湿度演算部Ｆと、前記排気路上手側絶対湿度検出部Ｍ８を構成する絶対湿度演算部Ｆは、第１実施形態と同様に、前記運転制御部１３を用いて構成して、図７に示すマップデータの如き温度及び相対湿度と絶対湿度との関係を示す絶対湿度導出用情報に基づいて、絶対湿度を求めるように構成してある。
前記湿度差導出部Ｃには、第１実施形態と同様に、調湿能力段階情報を記憶させてあり、前記湿度差導出部Ｃは、第１実施形態と同様に、この調湿能力段階情報に基づいて、絶対湿度差に対応する調湿能力の段階を絶対湿度差に対応する情報として求めて、その求めた調湿能力の段階を表示部５３に表示するように構成してある。
【０１２７】
第５実施形態と同様に、前記運転制御部１３は、加湿換気運転の実行中において所定の計測タイミングになると、通常換気運転に切り換えて、前記湿度差導出部Ｃに絶対湿度差を求める湿度差導出処理を実行させ、その湿度差導出処理が終了すると、前記操作部１４の運転切換スイッチ５１にて通常換気運転が指令される状態では通常換気運転を実行し、前記操作部１４の運転切換スイッチ５１にて加湿換気運転が指令された状態では加湿換気運転を実行するように構成してある。
【０１２８】
前記湿度差導出部Ｃによる湿度差導出処理について説明する。
この湿度差導出部Ｃは、加湿換気運転の実行中は、前記読み込みタイミング毎に、前記給気路下手側絶対湿度検出部Ｍ７にて検出される加湿換気運転中の外気ＯＡの絶対湿度ＨＡ７ｎ、及び、前記排気路上手側絶対湿度検出部Ｍ８にて検出される加湿換気運転中の内気ＲＡの絶対湿度ＨＡ８ｎを読み込む。
そして、計測タイミングになって通常換気運転に切り換えられると、設定時間の間における給気路下手側温度センサＳｔ７の検出温度Ｔ７ｆの変化が設定温度以下になることに基づいて、調湿ロータ１０の温度が平衡状態になったと判別すると、前記給気路下手側絶対湿度検出部Ｍ７にて検出される通常換気運転中の外気ＯＡの絶対湿度ＨＡ７ｆ、及び、前記排気路上手側絶対湿度検出部Ｍ８にて検出される通常換気運転中の内気ＲＡの絶対湿度ＨＡ８ｆを読み込む。
【０１２９】
続いて、計測タイミングになる直前に読み込んだ加湿換気運転中の内気ＲＡの絶対湿度ＨＡ８ｎと計測タイミングになった後に読み込んだ通常換気運転中の内気ＲＡの絶対湿度ＨＡ８ｆとの差が設定値以下であれば、下記の式６にて絶対湿度差ΔＨを求めると共に、その求めた絶対湿度差ΔＨに対応する調湿能力の段階を求めて、その求めた調湿能力の段階を表示部５３に表示する。
【０１３０】
ΔＨ＝ＨＡ７ｎ−ＨＡ７ｆ……………（式６）
【０１３１】
又、加湿換気運転中の内気ＲＡの絶対湿度ＨＡ８ｎと通常換気運転中の内気ＲＡの絶対湿度ＨＡ８ｆとの差が設定値よりも大きい場合は、絶対湿度差ΔＨを求めずに、次の計測タイミングになるのを待って、再度、湿度差導出処理を実行する。
【０１３２】
〔第７実施形態〕
この第７実施形態においては、図１３に示すように、下手側絶対湿度検出手段としての排気路下手側絶対湿度検出部Ｍ５を、前記排気風路Ｖｅにおける前記調湿ロータ１０よりも通風方向下手側箇所にて通流する内気ＲＡの絶対湿度を検出するように設け、且つ、上手側絶対湿度検出手段としての給気路上手側絶対湿度検出部Ｍ６を、前記給気風路Ｖｓにおける前記調湿ロータ１０よりも通風方向上手側箇所にて通流する外気ＯＡの絶対湿度を検出するように設けてある。
そして、前記排気路下手側絶対湿度検出部Ｍ５にて検出された内気ＲＡの絶対湿度と前記給気路上手側絶対湿度検出部Ｍ６にて検出された外気ＯＡの絶対湿度との差である絶対湿度差を求めて、その求めた絶対湿度差に対応する情報を表示手段としての表示部５３に表示する湿度差導出手段としての湿度差導出部Ｃを設けてある。
【０１３３】
前記排気路下手側絶対湿度検出部Ｍ５及び前記給気路上手側絶対湿度検出部Ｍ６は、第５実施形態と同様に構成してあるので、説明を省略する。
絶対湿度差（ｇ／ｋｇ）の大小に応じて、調湿の進み具合（加湿の進み具合）の段階を、絶対湿度差が小さくなるほど段階が高くなる形態で、複数（この実施形態では７段階）設定して、調湿進み具合段階情報として前記湿度差導出部Ｃに記憶させてある。
そして、前記湿度差導出部Ｃは、調湿進み具合段階情報に基づいて、絶対湿度差に対応する調湿の進み具合の段階を絶対湿度差に対応する情報として求め、求めた調湿の進み具合の段階を表示部５３に表示するように構成してある。但し、加湿換気運転の開始時から調湿部Ｂにおける調湿作用が定常状態になるまでの間は、調湿ロータ１０による内気ＲＡからの吸湿量が少なくて、排気路下手側絶対湿度検出部Ｍ５にて検出された内気ＲＡの絶対湿度が余り低下しないことから、排気路下手側絶対湿度検出部Ｍ５にて検出された内気ＲＡの絶対湿度と給気路上手側絶対湿度検出部Ｍ６にて検出された外気ＯＡの絶対湿度との差が小さい場合があるので、加湿換気運転を開始したのち、設定時間（例えば、３０分程度）が経過するまでは、表示部５３の表示状態を、全てのセグメント５３を点滅状態にする等、調湿の進み具合の表示状態とは異なる表示状態にして、予備運転中であることを表示する。
【０１３４】
前記湿度差導出部Ｃは、加湿換気運転の実行中は、所定の計測タイミング（例えば１分毎）になると、絶対湿度差を求めると共に、求めた絶対湿度差に対応する調湿能力の段階を求めて、求めた調湿能力の段階を表示部５３に表示する湿度差導出処理を実行するように構成してある。
以下、前記湿度差導出部Ｃによる湿度差導出処理について説明する。
この湿度差導出部Ｃは、計測タイミングになると、前記排気路下手側絶対湿度検出部Ｍ５にて検出される加湿換気運転中の内気ＲＡの絶対湿度ＨＡ５ｎ、及び、前記給気路上手側絶対湿度検出部Ｍ６にて検出される加湿換気運転中の外気ＯＡの絶対湿度ＨＡ６ｎを読み込み、それら読み込みデータに基づいて、下記の式７に基づいて絶対湿度差ΔＨを求めると共に、その求めた絶対湿度差ΔＨに対応する調湿の進み具合の段階を求めて、その求めた調湿の進み具合の段階を表示部５３に表示する。
【０１３５】
ΔＨ＝ＨＡ６ｎ−ＨＡ５ｎ……………（式７）
【０１３６】
〔第８実施形態〕
この第８実施形態においては、図１６に示すように、下手側絶対湿度検出手段としての給気路下手側絶対湿度検出部Ｍ７を、前記給気風路Ｖｓにおける前記調湿ロータ１０よりも通風方向下手側箇所にて通流する外気ＯＡの絶対湿度を検出するように設け、且つ、上手側絶対湿度検出手段としての排気路上手側絶対湿度検出部Ｍ８を、前記排気風路Ｖｅにおける前記調湿ロータ１０よりも通風方向上手側箇所にて通流する内気ＲＡの絶対湿度を検出するように設けてある。
そして、前記給気路下手側絶対湿度検出部Ｍ７にて検出された外気ＯＡの絶対湿度と前記排気路上手側絶対湿度検出部Ｍ８にて検出された内気ＲＡの絶対湿度との差である絶対湿度差を求めて、その求めた絶対湿度差に対応する情報を表示手段としての表示部５３に表示する湿度差導出手段としての湿度差導出部Ｃを設けてある。
【０１３７】
前記給気路下手側絶対湿度検出部Ｍ７及び前記排気路上手側絶対湿度検出部Ｍ８は、第６実施形態と同様に構成してあるので、それらの説明を省略する。
又、前記湿度差導出部Ｃには、第７実施形態と同様の調湿進み具合段階情報を記憶させてあり、第７実施形態と同様に絶対湿度差を求めると共に、求めた絶対湿度差に対応する調湿の進み具合の段階を求めて、その求めた調湿の進み具合の段階を絶対湿度差に対応する情報として表示部５３に表示するように構成してある。但し、加湿換気運転の開始時から調湿部Ｂにおける調湿作用が定常状態になるまでの間は、調湿ロータ１０による外気ＯＡへの放湿量が少なくて、給気路下手側絶対湿度検出部Ｍ７にて検出された外気ＯＡの絶対湿度が余り上昇しないことから、給気路下手側絶対湿度検出部Ｍ７にて検出された外気ＯＡの絶対湿度と排気路上手側絶対湿度検出部Ｍ８にて検出された内気ＲＡの絶対湿度との差が小さい場合があるので、上記の第７実施形態と同様に、加湿換気運転を開始したのち、設定時間が経過するまでは、表示部５３の表示状態を、調湿の進み具合の表示状態とは異なる表示状態にして、予備運転中であることを表示する。
【０１３８】
前記湿度差導出部Ｃは、加湿換気運転の実行中は、所定の計測タイミング（例えば１分毎）になると、絶対湿度差を求めると共に、求めた絶対湿度差に対応する調湿能力の段階を求めて、求めた調湿能力の段階を表示部５３に表示する湿度差導出処理を実行するように構成してある。
以下、前記湿度差導出部Ｃによる湿度差導出処理について説明する。
この湿度差導出部Ｃは、計測タイミングになると、前記給気路下手側絶対湿度検出部Ｍ７にて検出される加湿換気運転中の外気ＯＡの絶対湿度ＨＡ７ｎ、及び、前記排気路上手側絶対湿度検出部Ｍ８にて検出される加湿換気運転中の内気ＲＡの絶対湿度ＨＡ８ｎを読み込み、それら読み込みデータに基づいて、下記の式８に基づいて絶対湿度差ΔＨを求めると共に、その求めた絶対湿度差ΔＨに対応する調湿能力の段階を求めて、その求めた調湿能力の段階を表示部５３に表示する。
【０１３９】
ΔＨ＝ＨＡ８ｎ−ＨＡ７ｎ……………（式８）
【０１４０】
〔別実施形態〕
次に別実施形態を説明する。
（イ）  表示部５３に表示する絶対湿度差に対応する情報としては、上記の第１、第２、第５及び第６の各実施形態において例示した調湿能力の段階や、上記の第３、第４、第７及び第８の各実施形態において例示した調湿能力の段階に限定されるものではなく、例えば絶対湿度差そのものでも良い。
【０１４１】
（ロ）  顕熱交換部Ｓを構成するに、上記の各実施形態においては、静止型の顕熱交換器２５にて構成したが、一部を給気風路Ｖｓに位置させ且つ他の一部を排気風路Ｖｅに位置させるように配置される顕熱交換ロータ及びその顕熱交換ロータにおける前記給気風路Ｖｓに位置させる部分及び前記排気風路Ｖｅに位置させる部分を回転に伴って変更させるように前記顕熱交換ロータを駆動回転する顕熱交換用電動モータを備えた回転型に構成しても良い。
【０１４２】
（ハ）  上記の第１実施形態において、除湿換気運転中の内気ＲＡの絶対湿度ＨＡ２ｎと通常換気運転中の内気ＲＡの絶対湿度ＨＡ２ｆとの差が設定値よりも大きい場合、及び、上記の第２実施形態において、除湿換気運転中の外気ＯＡの絶対湿度ＨＡ４ｎと通常換気運転中の外気ＯＡの絶対湿度ＨＡ４ｆとの差が設定値よりも大きい場合に、次の計測タイミングになるのを待って次の湿度差導出処理を実行するように構成したが、直ちに次の湿度差導出処理を実行するように構成したり、計測タイミングよりも短いタイミングで次の湿度差導出処理を実行するように構成しても良い。
又、上記の第５実施形態において、加湿換気運転中の外気ＯＡの絶対湿度ＨＡ６ｎと通常換気運転中の外気ＯＡの絶対湿度ＨＡ６ｆとの差が設定値よりも大きい場合、及び、上記の第６実施形態において、加湿換気運転中の内気ＲＡの絶対湿度ＨＡ８ｎと通常換気運転中の内気ＲＡの絶対湿度ＨＡ８ｆとの差が設定値よりも大きい場合に、次の計測タイミングになるのを待って次の湿度差導出処理を実行するように構成したが、直ちに次の湿度差導出処理を実行するように構成したり、計測タイミングよりも短いタイミングで次の湿度差導出処理を実行するように構成しても良い。
【０１４３】
（ニ）  上記の第１、第２、第５及び第６の各実施形態においては、上手側絶対湿度検出手段Ｍ２，Ｍ４，Ｍ６，Ｍ８を設けて、計測タイミングになると、調湿運転中に前記上手側絶対湿度検出手段Ｍ２，Ｍ４，Ｍ６，Ｍ８にて検出された絶対湿度と前記換気運転中に前記上手側絶対湿度検出手段Ｍ２，Ｍ４，Ｍ６，Ｍ８にて検出された絶対湿度との差が設定値以下であることを条件にして、前記絶対湿度差を求めるように構成したが、上手側絶対湿度検出手段Ｍ２，Ｍ４，Ｍ６，Ｍ８を省略して、計測タイミングになると必ず前記絶対湿度差を求めるように構成しても良い。
【０１４４】
（ホ）  上記の第１実施形態において、上手側絶対湿度検出手段として、排気路上手側絶対湿度検出部Ｍ２に代えて給気路上手側絶対湿度検出部Ｍ４を設けて、調湿運転中に前記給気路上手側絶対湿度検出部Ｍ４にて検出された絶対湿度と前記換気運転中において前記給気路上手側絶対湿度検出部Ｍ４にて検出された絶対湿度との差が設定値以下であることを条件にして、前記絶対湿度差を求めるように構成しても良い。
上記の第２実施形態において、上手側絶対湿度検出手段として、給気路上手側絶対湿度検出部Ｍ４に代えて排気路上手側絶対湿度検出部Ｍ２を設けて、調湿運転中に前記排気路上手側絶対湿度検出部Ｍ２にて検出された絶対湿度と前記換気運転中において前記排気路上手側絶対湿度検出部Ｍ２にて検出された絶対湿度との差が設定値以下であることを条件にして、前記絶対湿度差を求めるように構成しても良い。
【０１４５】
上記の第５実施形態において、上手側絶対湿度検出手段として、給気路上手側絶対湿度検出部Ｍ６に代えて排気路上手側絶対湿度検出部Ｍ８を設けて、調湿運転中に前記排気路上手側絶対湿度検出部Ｍ８にて検出された絶対湿度と前記換気運転中において前記排気路上手側絶対湿度検出部Ｍ８にて検出された絶対湿度との差が設定値以下であることを条件にして、前記絶対湿度差を求めるように構成しても良い。
上記の第６実施形態において、上手側絶対湿度検出手段として、排気路上手側絶対湿度検出部Ｍ８に代えて給気路上手側絶対湿度検出部Ｍ６を設けて、調湿運転中に前記給気路上手側絶対湿度検出部Ｍ６にて検出された絶対湿度と前記換気運転中において前記給気路上手側絶対湿度検出部Ｍ６にて検出された絶対湿度との差が設定値以下であることを条件にして、前記絶対湿度差を求めるように構成しても良い。
【０１４６】
（ヘ）  通常換気運転の制御形態として、上記の第１〜第４の各実施形態においては、電動モータ１１を停止させ、除湿用加熱器１２を加熱停止状態にする形態について例示したが、電動モータ１１を作動させ、除湿用加熱器１２を加熱停止状態にする形態、あるいは、電動モータ１１を停止させ、除湿用加熱器１２を加熱作用状態にする形態でも良い。
又、上記の第５〜第８の各実施形態においては、電動モータ１１を停止させ、加湿用加熱器４０を加熱停止状態にする形態について例示したが、電動モータ１１を作動させ、加湿用加熱器４０を加熱停止状態にする形態、あるいは、電動モータ１１を停止させ、加湿用加熱器４０を加熱作用状態にする形態でも良い。
【０１４７】
（ト）  デシカント空調装置を除湿換気運転及び加湿換気運転の両方が実行可能なように構成しても良い。
（チ）  除湿用加熱器１２や加湿用加熱器４０は、熱媒循環式に限定されるものではなく、例えば、電気ヒータでも良い。
【図面の簡単な説明】
【０１４８】
【図１】第１実施形態に係るデシカント空調装置の全体構成を示す図
【図２】図１におけるＩＩ−ＩＩ矢視図
【図３】図１におけるＩＩＩ−ＩＩＩ矢視図
【図４】潜熱交換ユニットの斜視図
【図５】第１及び第３の各実施形態に係るデシカント空調装置の概略構成を示す図
【図６】表示部の表示形態を示す図
【図７】温度及び相対湿度と絶対湿度との関係を示す図
【図８】絶対湿度差に応じた調湿能力の段階を説明する図
【図９】第１実施形態に係るデシカント空調装置の制御動作のフローチャートを示す図
【図１０】第１実施形態に係るデシカント空調装置の制御動作のフローチャートを示す図
【図１１】第２及び第４の各実施形態に係るデシカント空調装置の概略構成を示す図
【図１２】第５実施形態に係るデシカント空調装置の全体構成を示す図
【図１３】第５及び第７の各実施形態に係るデシカント空調装置の概略構成を示す図
【図１４】第５実施形態に係るデシカント空調装置の制御動作のフローチャートを示す図
【図１５】第５実施形態に係るデシカント空調装置の制御動作のフローチャートを示す図
【図１６】第６及び第８の各実施形態に係るデシカント空調装置の概略構成を示す図
【図１７】デシカント空調装置の設置状態を示す図
【符号の説明】
【０１４９】
７          給気送風手段
９          排気送風手段
１０        調湿体
１１        駆動手段
１２，４０  加熱手段
１３        運転制御手段
５３        表示手段
６２        空調対象空間
Ｂ          調湿手段
Ｃ          湿度差導出手段
Ｍ１，Ｍ３  下手側絶対湿度検出手段
Ｍ２，Ｍ４  上手側絶対湿度検出手段
Ｍ５，Ｍ７  下手側絶対湿度検出手段
Ｍ６，Ｍ８  上手側絶対湿度検出手段
Ｖｅ        排気風路
Ｖｓ        給気風路
【図１】
2008151388.tif 000003
【図２】
2008151388.tif 000004
【図３】
2008151388.tif 000005
【図４】
2008151388.tif 000006
【図５】
2008151388.tif 000007
【図６】
2008151388.tif 000008
【図７】
2008151388.tif 000009
【図８】
2008151388.tif 000010
【図９】
2008151388.tif 000011
【図１０】
2008151388.tif 000012
【図１１】
2008151388.tif 000013
【図１２】
2008151388.tif 000014
【図１３】
2008151388.tif 000015
【図１４】
2008151388.tif 000016
【図１５】
2008151388.tif 000017
【図１６】
2008151388.tif 000018
【図１７】
2008151388.tif 000019